(57)【要約】【課題】余分な通信を行うことなく端末の通信状態を詳細に把握する。【解決手段】端末送信ステップにて、通信端末５０は、強度情報と識別情報とをアクセスポイント５２に送信する。サーバ記憶ステップにて、サーバ５４は、アクセスポイント５２が送信した強度情報と識別情報とを対応付けて記憶する。照会ステップにて、通信端末５０は、端末指定情報をアクセスポイント５２に送信する。回答ステップにて、サーバ５４が、端末指定情報に対応付けられた強度情報をアクセスポイント５２に返信する。端末記憶ステップにて、通信端末５０は、アクセスポイント５２から受信した状態情報を端末指定情報に対応付けて記憶する。表示ステップにて、通信端末５０は、端末指定情報に対応付けられた状態情報を表示する。【選択図】図１
2009044427.tif 000002
【特許請求の範囲】
【請求項１】
サーバと、アクセスポイントを介して前記サーバと通信する複数の通信端末とを含む通信システムであって、
前記通信端末は、
前記アクセスポイントと電波により通信するための通信手段と、
識別情報を予め記憶し、かつ、他の前記通信端末を示す端末指定情報を記憶するための記憶手段と、
通信制御手段とを含み、
前記通信端末の通信制御手段は、
前記電波の強度を測定するための強度測定手段と、
前記強度測定手段が測定した前記強度を示す強度情報と前記記憶手段が記憶した識別情報とを前記アクセスポイントに送信するように、前記通信手段を制御するための手段とを含み、
前記サーバは、
前記アクセスポイントと通信するための通信手段と、
前記アクセスポイントが送信した前記強度情報と前記識別情報とを対応付けて記憶し、かつ、前記端末指定情報と前記端末指定情報が示す通信端末が予め記憶する識別情報とを対応付けて記憶するための記憶手段とを含み、
前記通信端末の通信制御手段は、前記端末指定情報を前記アクセスポイントに送信するように前記通信手段を制御するための照会制御手段をさらに含み、
前記サーバは、通信制御手段をさらに含み、
前記サーバの通信制御手段は、前記端末指定情報を前記通信手段が受信すると、前記記憶手段が記憶した強度情報のうち、前記識別情報を介して前記端末指定情報に対応付けられた情報を、前記端末指定情報を送信したアクセスポイントに送信するように、前記通信手段を制御するための回答制御手段を含み、
前記通信端末の記憶手段は、前記識別情報および前記端末指定情報に加え、前記強度情報を記憶し、
前記通信端末の通信制御手段は、前記通信手段が受信した前記強度情報を前記通信手段が送信した端末指定情報に対応付けて記憶するように、前記記憶手段を制御するための記憶制御手段を含み、
前記通信端末は、表示手段をさらに含み、
前記通信端末の通信制御手段は、前記端末指定情報に対応付けられた強度情報が示す前記電波の強度を表示するように、前記表示手段を制御するための状態表示制御手段をさらに含む、通信システム。
【請求項２】
サーバと、アクセスポイントを介して前記サーバと通信する複数の通信端末とを含む通信システムであって、
前記通信端末は、
前記アクセスポイントと通信するための通信手段と、
識別情報を予め記憶し、かつ、他の前記通信端末を示す端末指定情報を記憶するための記憶手段と、
通信制御手段とを含み、
前記通信端末の通信制御手段は、前記アクセスポイントと前記通信端末との間の通信状態を示す状態情報と前記記憶手段が記憶した識別情報とを前記アクセスポイントに送信するように、前記通信手段を制御するための送信制御手段を含み、
前記サーバは、
前記アクセスポイントと通信するための通信手段と、
前記アクセスポイントが送信した前記状態情報と前記識別情報とを対応付けて記憶し、かつ、前記端末指定情報と前記端末指定情報が示す通信端末が予め記憶する識別情報とを
対応付けて記憶するための記憶手段とを含み、
前記通信端末の通信制御手段は、前記端末指定情報を前記アクセスポイントに送信するように前記通信手段を制御するための照会制御手段をさらに含み、
前記サーバは、通信制御手段をさらに含み、
前記サーバの通信制御手段は、前記端末指定情報を前記通信手段が受信すると、前記状態情報のうち、前記識別情報を介して前記端末指定情報に対応付けられた情報を、前記端末指定情報を送信したアクセスポイントに送信するように、前記通信手段を制御するための回答制御手段を含み、
前記通信端末の記憶手段は、前記識別情報および前記端末指定情報に加え、前記状態情報を記憶し、
前記通信端末の通信制御手段は、前記通信手段が受信した前記状態情報を前記通信手段が送信した端末指定情報に対応付けて記憶するように、前記記憶手段を制御するための記憶制御手段を含み、
前記通信端末は、表示手段をさらに含み、
前記通信端末の通信制御手段は、前記端末指定情報に対応付けられた状態情報が示す通信状態を表示するように、前記表示手段を制御するための状態表示制御手段をさらに含む、通信システム。
【請求項３】
前記通信端末の送信制御手段は、
前記通信状態を特定するための状態特定手段と、
前記記憶手段が記憶した識別情報に加え、前記状態特定手段が特定した通信状態を示す前記状態情報を送信するように、前記通信手段を制御するための手段とを含む、請求項２に記載の通信システム。
【請求項４】
前記通信端末の通信手段は、前記アクセスポイントと電波により通信するための手段を含み、
前記状態特定手段は、前記電波の強度を測定するための強度測定手段を含み、
前記状態情報は、前記強度測定手段が測定した前記強度を示す強度情報を含む、請求項３に記載の通信システム。
【請求項５】
前記状態特定手段は、前記アクセスポイントとの通信の成功回数および前記アクセスポイントとの通信の失敗回数を計数し、かつ、前記成功回数と失敗回数との和に対する前記失敗回数の割合を算出するための割合算出手段を含み、
前記状態情報は、前記割合算出手段が算出した前記割合を示す割合情報を含む、請求項３に記載の通信システム。
【請求項６】
前記状態表示制御手段は、
前記状態情報の内容に従って、前記状態情報の順位を特定するための順位特定手段と、
前記順位特定手段が特定した順位に従って前記状態情報を表示するように、前記表示手段を制御するための手段とを含む、請求項２に記載の通信システム。
【請求項７】
前記通信端末の通信制御手段は、前記状態情報が要件を満たすか否かを判断するための状態判断手段をさらに含み、
前記状態表示制御手段は、前記要件を満たすと判断された前記状態情報を表示するように、前記表示手段を制御するための手段を含む、請求項２に記載の通信システム。
【請求項８】
前記通信端末は、他の前記通信端末との通信の開始を指示する情報の入力を受付けるための入力手段をさらに含み、
前記通信の開始を指示する情報は、前記端末指定情報を含み、
前記通信端末の通信制御手段は、
前記通信の開始を指示する情報が有する情報と同一の前記端末指定情報に対応付けられた前記状態情報が要件を満たすか否かを判断するための状態判断手段と、
前記要件を満たすか否かが判断された前記状態情報を、前記要件を満たす状態を示すか否かに応じた形態で表示するように、前記表示手段を制御するための手段とをさらに含む、請求項２に記載の通信システム。
【請求項９】
前記通信端末は、他の前記通信端末との通信の開始を指示する情報の入力を受付けるための入力手段をさらに含み、
前記通信の開始を指示する情報は、前記端末指定情報を含み、
前記通信端末の通信制御手段は、
前記通信の開始を指示する情報が有する情報と同一の前記端末指定情報に対応付けられた前記状態情報が要件を満たすか否かを判断するための状態判断手段と、
前記通信の開始を指示する情報が有する情報と同一の前記端末指定情報に対応付けられた前記状態情報が前記要件を満たすとき、前記端末指定情報が示す前記他の通信端末との通信の開始を要求する旨の情報を前記アクセスポイントに送信するように、前記通信手段を制御するための手段とをさらに含む、請求項２に記載の通信システム。
【請求項１０】
前記通信端末の送信制御手段は、前記状態情報と前記記憶手段が記憶した識別情報とを前記アクセスポイントに同時に送信するように、前記通信手段を制御するための手段を含む、請求項２に記載の通信システム。
【請求項１１】
前記通信端末の送信制御手段は、前記状態情報と識別情報とを繰返し前記アクセスポイントに送信するように、前記通信手段を制御するための手段を含む、請求項２に記載の通信システム。
【請求項１２】
前記通信端末の通信制御手段は、前記端末指定情報に対応付けられた状態情報の中から、前記識別情報に対応付けられた状態情報以上に良好な通信状態を示す情報を選択するための選択手段をさらに含み、
前記通信端末の状態表示制御手段は、前記選択手段が選択した状態情報を表示するように、前記表示手段を制御するための手段を含む、請求項２に記載の通信システム。
【請求項１３】
サーバと、アクセスポイントを介して前記サーバと通信する複数の通信端末とを含む通信システムであって、
前記通信端末は、
前記アクセスポイントと通信するための通信手段と、
識別情報を予め記憶し、かつ、他の前記通信端末を示す端末指定情報を記憶するための記憶手段と、
通信制御手段とを含み、
前記通信端末の通信制御手段は、前記記憶手段が記憶した識別情報を前記アクセスポイントに送信するように、前記通信手段を制御するための送信制御手段を含み、
前記アクセスポイントは、
前記通信端末と通信するための端末通信手段と、
前記サーバと通信するためのサーバ通信手段と、
時刻検出手段と、
前記通信端末が送信した識別情報を前記時刻検出手段が検出した時刻に対応付けて記憶するための記憶手段と、
通信制御手段とを含み、
前記アクセスポイントの通信制御手段は、
前記通信端末との通信が確立されると、前記通信端末との通信が確立された前記時刻を記憶するように前記記憶手段を制御し、かつ、前記通信端末が送信した識別情報を前記端
末通信手段が受信すると、前記通信端末との通信が確立された時刻に対応付けて前記通信端末が送信した識別情報を記憶するように、前記記憶手段を制御するための記憶制御手段と、
前記通信端末との通信が確立された時刻を示す情報と前記識別情報とを前記サーバに送信するように、前記サーバ通信手段を制御するための送信制御手段とを含み、
前記サーバは、
前記アクセスポイントと通信するための通信手段と、
前記時刻を示す情報と前記識別情報とを対応付けて記憶し、かつ、前記識別情報と前記端末指定情報とを対応付けて記憶するための記憶手段とを含み、
前記通信端末の記憶手段は、前記識別情報に加え、前記端末指定情報を記憶し、
前記通信端末の通信制御手段は、前記端末指定情報を前記アクセスポイントに送信するように前記通信手段を制御するための照会制御手段をさらに含み、
前記アクセスポイントの通信制御手段は、前記端末指定情報を前記端末通信手段が受信すると、前記端末指定情報を前記サーバに送信するように前記サーバ通信手段を制御するための照会制御手段をさらに含み、
前記サーバは、通信制御手段をさらに含み、
前記サーバの通信制御手段は、前記端末指定情報を前記通信手段が受信すると、前記時刻を示す情報のうち、前記識別情報を介して前記端末指定情報に対応付けられた情報を、前記端末指定情報を送信したアクセスポイントに送信するように、前記通信手段を制御するための回答制御手段を含み、
前記アクセスポイントの通信制御手段は、前記サーバ通信手段が前記時刻を示す情報を受信すると、前記端末指定情報を送信した前記通信端末に対し、前記時刻を示す情報を送信するように、前記端末通信手段を制御するための回答制御手段をさらに含み、
前記通信端末の記憶手段は、前記識別情報および前記端末指定情報に加え、前記時刻を記憶し、
前記通信端末の通信制御手段は、前記通信手段が受信した情報が示す前記時刻を前記通信手段が送信した端末指定情報に対応付けて記憶するように、前記記憶手段を制御するための記憶制御手段を含み、
前記通信端末は、
表示手段と、
時刻検出手段とをさらに含み、
前記通信端末の通信制御手段は、前記記憶手段が記憶した時刻に応じた形態の情報を表示するように、前記表示手段を制御するための状態表示制御手段をさらに含む、通信システム。
【請求項１４】
前記アクセスポイントの通信制御手段は、前記通信端末との通信が確立された時刻を示す情報を前記通信端末に送信するように前記端末通信手段を制御するための手段をさらに含み、
前記通信端末の通信制御手段は、前記端末指定情報が送信されるまでに前記通信手段が受信した情報が示す前記時刻を記憶するように、前記記憶手段を制御するための手段をさらに含み、
前記状態表示制御手段は、
前記記憶手段が記憶した時刻と前記記憶手段が記憶した時刻を表示する際の時刻との差を算出するための時間差算出手段と、
前記時間差算出手段が算出した差に応じた形態の情報を表示するように、前記表示手段を制御するための手段とを含む、請求項１３に記載の通信システム。
【請求項１５】
アクセスポイントを介して複数の通信端末がサーバと通信するための通信方法であって、
前記通信端末が、前記アクセスポイントと前記通信端末との間の通信状態を示す状態情
報と前記通信端末が予め記憶した識別情報とを前記アクセスポイントに送信する端末送信ステップと、
前記サーバが、前記アクセスポイントが送信した前記状態情報と前記識別情報とを対応付けて記憶するサーバ記憶ステップと、
前記通信端末が、他の前記通信端末を示す端末指定情報を前記アクセスポイントに送信する照会ステップと、
前記サーバが、前記端末指定情報を受信した後、前記状態情報のうち、前記識別情報を介して前記端末指定情報に対応付けられた情報を、前記端末指定情報を送信したアクセスポイントに送信する回答ステップと、
前記通信端末が、前記アクセスポイントから受信した前記状態情報を前記アクセスポイントに送信した端末指定情報に対応付けて記憶する端末記憶ステップと、
前記通信端末が、前記端末指定情報に対応付けられた状態情報を表示する表示ステップと含む、通信方法。
【発明の詳細な説明】
【技術分野】
【０００１】
本発明は、通信システムおよび通信方法に関し、特に、伝送の細部に関する情報を通信する通信システムおよび通信方法に関する。
【背景技術】
【０００２】
特許文献１は、第１の無線端末装置と第２の無線端末装置からなる無線通信システムを開示する。この無線通信システムは、第１の無線端末装置と第２の無線端末装置との間の通信中に、次に述べる２つの動作により、互いの電波受信状態を実時間で通知し合う。第１の動作において、第１の無線端末装置は、自らの電波受信状態に関する情報を第２の無線端末装置へ送信する。第２の動作において、第２の無線端末装置は、第１の無線端末装置から受信した情報を基に所定の通知情報を作成し、その通知情報を自らのユーザへ通知する。
【０００３】
特許文献１に開示された発明によると、無線通信システムにおける既存設備をそのまま利用でき、そして通話中の一方の相手先端末装置の電波受信状態に関する情報を他方の端末装置がリアルタイムで取得できる。
【０００４】
特許文献２は、ネットワークと、ネットワークと接続された複数の基地局と、基地局と無線接続可能な少なくとも第１の通信装置と第２の通信装置とからなる通信システムを開示する。この通信システムにおいて、第１の通信装置が通信不可能な状態となると、基地局は、データを第２の通信装置へ送信する。第２の通信装置は、データを受信すると、第１の通信装置が通信不可能な状態となったことを報知する。
【０００５】
特許文献２に開示された発明によると、相手側へ発呼を行う前に相手側が通信可能な状態であるか否かを知ることができる。
【０００６】
特許文献３は、通信網と接続され、少なくとも音声通信または電子メール通信のいずれかを行う通信装置を開示する。この通信装置は、受信部と、通知情報記憶部と、相手先情報記憶部と、制御部と、表示部とを有する。受信部は、相手先から発信された通知情報を受信する。通知情報は、相手先の状態を示す情報を有する。通知情報記憶部は、受信部にて受信した通知情報を記憶する。相手先情報記憶部は、相手先情報を記憶する。相手先情報は、少なくとも相手先の名前または電話番号のいずれかを有する。制御部は、通知情報と相手先情報を関連づけるフラグを生成する。表示部は、フラグを有さない相手先情報と異なった表示となるように、関連づけを示すフラグを有する相手先情報を表示する。
【０００７】
特許文献３に開示された発明によると、通信相手先から受信した相手先の状態と、相手の電話番号や名前などとを関連づけて表示しておくことで、いつでも相手先の状態を知ることができる。
【０００８】
特許文献４は、通知方法を開示する。この通知方法は、携帯通信端末の位置情報を利用することにより、ユーザの要求に応じて、電話番号が登録された第三者の携帯通信端末が、現にユーザが存するセルと同一のエリア内に存在するかを判定してユーザに返答する方法である。
【０００９】
特許文献４に開示された発明によると、電話番号が登録された携帯通信端末の所有者がユーザの近隣にいることを、ユーザが知ることができる。
【００１０】
特許文献５は、電話番号の通知方法を開示する。この通知方法は、携帯電話端末機が、適当な時間間隔で第１のプロセスおよびプ第２のプロセスを繰返し、かつ、入力部からの入力によって選択された電話番号でのダイヤルを行う方法である。ダイヤルにより、電話番号は、近隣の携帯電話端末機に通知される。第１のプロセスは、携帯電話端末機が、各情報発信機からの伝達情報を受信し、また受信時の信号の受信電界レベルを計測し、伝達情報と受信時の信号の受信電界レベルを組として情報テーブルに格納するプロセスである。情報テーブルは、携帯電話端末機の記憶領域にある。第２のプロセスは、携帯電話端末機が、情報テーブルに格納された伝達情報の全部または一部を、受信時の信号の受信電界レベルで並べ替えたリストで、或いは伝達情報の内容にしたがって並べ替えや抽出を行ったリストで、携帯電話端末機の表示部に表示するプロセスである。
【００１１】
特許文献５に開示された発明によると、電話番号の入力を必要とせずに、電話番号を通知できる。
【００１２】
特許文献６は、複数の通信端末が通信回線を介してサーバに接続された構成の無線通信システムを開示する。この通信端末は、電源オン装置と、問い合わせ装置と、通知装置とを備えている。電源オン装置は、電源を所定時間間隔でオン作動させる。問い合わせ装置は、電源オン後、他の通信相手端末が通信可能な状態にあるか否かをサーバに問い合わせる。通知装置は、サーバからの応答結果に基づき、通信相手端末が通信可能状態にある場合にその結果をユーザに通知する。サーバは、当該通信相手端末が通信可能状態にあるか否かの確認結果を通信端末に通知する。
【００１３】
特許文献６に開示された発明によると、公衆無線サービスなどの通信エリアにおいて通信相手端末を自動的に検知できる。
【００１４】
特許文献７は、受信部と、記憶部と、制御部とを含む通信端末を開示する。受信部は、通信相手の状態に関する情報を受信する。記憶部は、受信部が受信する通信相手の状態に関する情報を記憶する。制御部は、記憶部が記憶する情報に基づいて、ユーザーに発信動作を選択させる。
【００１５】
特許文献７に開示された発明によると、発信前に通信相手の状態を把握してから発信を行うことができる。
【特許文献１】特開２００６−２９５８８１号公報
【特許文献２】特開２００４−１５３６４８号公報
【特許文献３】特開２００４−１５９２６７号公報
【特許文献４】特開２００２−５８０５４号公報
【特許文献５】特開２００１−１４５１６５号公報
【特許文献６】特開２００５−５７３３４号公報
【特許文献７】特開２００１−２７４８７５号公報
【発明の開示】
【発明が解決しようとする課題】
【００１６】
しかし、特許文献１〜７に開示された発明では、通話相手の端末の通信状態を事前に詳細に把握するためには余分な通信を繰返す恐れがあるという問題点がある。そのような把握のためには、適切なタイミングで通信を行うことが必要であるが、余分な通信をほとんど行うことなく適切なタイミングで通信することが困難なためである。
【００１７】
本発明は上述の問題点を解決するためになされたものであって、その目的は、余分な通信をほとんど行うことなく通信相手の端末の通信状態を詳細に把握できる通信システムおよび通信方法を提供することにある。
【課題を解決するための手段】
【００１８】
上記目的を達成するために、本発明のある局面に従うと、通信システムは、サーバと、複数の通信端末とを含む。通信端末は、アクセスポイントを介してサーバと通信する。通信端末は、通信手段と、記憶手段と、通信制御手段とを含む。通信手段は、アクセスポイントと電波により通信する。記憶手段は、識別情報を予め記憶し、かつ、端末指定情報を記憶する。端末指定情報は、他の通信端末を示す。通信端末の通信制御手段は、強度測定手段と、強度情報と記憶手段が記憶した識別情報とをアクセスポイントに送信するように、通信手段を制御するための手段とを含む。強度測定手段は、電波の強度を測定する。強度情報は、強度測定手段が測定した強度を示す。サーバは、通信手段と、記憶手段とを含む。通信手段は、アクセスポイントと通信する。記憶手段は、アクセスポイントが送信した強度情報と識別情報とを対応付けて記憶し、かつ、端末指定情報と端末指定情報が示す通信端末が予め記憶する識別情報とを対応付けて記憶する。通信端末の通信制御手段は、照会制御手段をさらに含む。照会制御手段は、端末指定情報をアクセスポイントに送信するように通信手段を制御する。サーバは、通信制御手段をさらに含む。サーバの通信制御手段は、回答制御手段を含む。回答制御手段は、端末指定情報を通信手段が受信すると、記憶手段が記憶した強度情報のうち、識別情報を介して端末指定情報に対応付けられた情報を、端末指定情報を送信したアクセスポイントに送信するように、通信手段を制御する。通信端末の記憶手段は、識別情報および端末指定情報に加え、強度情報を記憶する。通信端末の通信制御手段は、記憶制御手段を含む。記憶制御手段は、通信手段が受信した強度情報を通信手段が送信した端末指定情報に対応付けて記憶するように、記憶手段を制御する。通信端末は、表示手段をさらに含む。通信端末の通信制御手段は、状態表示制御手段をさらに含む。状態表示制御手段は、端末指定情報に対応付けられた強度情報が示す電波の強度を表示するように、表示手段を制御する。
【００１９】
本発明の他の局面に従うと、通信システムは、サーバと、複数の通信端末とを含む。通信端末は、アクセスポイントを介してサーバと通信する。通信端末は、通信手段と、記憶手段と、通信制御手段とを含む。通信手段は、アクセスポイントと通信する。記憶手段は、識別情報を予め記憶し、かつ、端末指定情報を記憶する。端末指定情報は、他の通信端末を示す。通信端末の通信制御手段は、送信制御手段を含む。送信制御手段は、状態情報と記憶手段が記憶した識別情報とをアクセスポイントに送信するように、通信手段を制御する。状態情報は、アクセスポイントと通信端末との間の通信状態を示す。サーバは、通信手段と、記憶手段とを含む。通信手段は、アクセスポイントと通信する。記憶手段は、アクセスポイントが送信した状態情報と識別情報とを対応付けて記憶し、かつ、端末指定情報と端末指定情報が示す通信端末が予め記憶する識別情報とを対応付けて記憶する。通信端末の通信制御手段は、照会制御手段をさらに含む。照会制御手段は、端末指定情報をアクセスポイントに送信するように通信手段を制御する。サーバは、通信制御手段をさらに含む。サーバの通信制御手段は、回答制御手段を含む。回答制御手段は、端末指定情報を通信手段が受信すると、状態情報のうち、識別情報を介して端末指定情報に対応付けられた情報を、端末指定情報を送信したアクセスポイントに送信するように、通信手段を制御する。通信端末の記憶手段は、識別情報および端末指定情報に加え、状態情報を記憶する。通信端末の通信制御手段は、記憶制御手段を含む。記憶制御手段は、通信手段が受信した状態情報を通信手段が送信した端末指定情報に対応付けて記憶するように、記憶手段を制御する。通信端末は、表示手段をさらに含む。通信端末の通信制御手段は、状態表示制御手段をさらに含む。状態表示制御手段は、端末指定情報に対応付けられた状態情報が示す通信状態を表示するように、表示手段を制御する。
【００２０】
また、上述の通信端末の送信制御手段は、状態特定手段と、記憶手段が記憶した識別情報に加え、状態情報を送信するように、通信手段を制御するための手段とを含むことが望ましい。状態特定手段は、通信状態を特定する。状態情報は、状態特定手段が特定した通
信状態を示す。
【００２１】
もしくは、上述の通信端末の通信手段は、アクセスポイントと電波により通信するための手段を含むことが望ましい。併せて、状態特定手段は、強度測定手段を含むことが望ましい。強度測定手段は、電波の強度を測定する。併せて、状態情報は、強度情報を含むことが望ましい。強度情報は、強度測定手段が測定した強度を示す。
【００２２】
もしくは、上述の状態特定手段は、割合算出手段を含むことが望ましい。割合算出手段は、アクセスポイントとの通信の成功回数およびアクセスポイントとの通信の失敗回数を計数し、かつ、成功回数と失敗回数との和に対する失敗回数の割合を算出する。併せて、状態情報は、割合情報を含むことが望ましい。割合情報は、割合算出手段が算出した割合を示す。
【００２３】
また、上述の状態表示制御手段は、順位特定手段と、順位特定手段が特定した順位に従って状態情報を表示するように、表示手段を制御するための手段とを含むことが望ましい。順位特定手段は、状態情報の内容に従って状態情報の順位を特定する。
【００２４】
また、上述の通信端末の通信制御手段は、状態判断手段をさらに含むことが望ましい。状態判断手段は、状態情報が要件を満たすか否かを判断する。併せて、状態表示制御手段は、要件を満たすと判断された状態情報を表示するように、表示手段を制御する。
【００２５】
また、上述の通信端末は、入力手段をさらに含むことが望ましい。入力手段は、他の通信端末との通信の開始を指示する情報の入力を受付ける。併せて、通信の開始を指示する情報は、端末指定情報を含むことが望ましい。併せて、通信端末の通信制御手段は、状態判断手段と、要件を満たすか否かが判断された状態情報を、要件を満たす状態を示すか否かに応じた形態で表示するように、表示手段を制御するための手段とをさらに含むことが望ましい。状態判断手段は、通信の開始を指示する情報が有する情報と同一の端末指定情報に対応付けられた状態情報が要件を満たすか否かを判断する。
【００２６】
また、上述の通信端末は、入力手段をさらに含むことが望ましい。入力手段は、他の通信端末との通信の開始を指示する情報の入力を受付ける。併せて、通信の開始を指示する情報は、端末指定情報を含むことが望ましい。併せて、通信端末の通信制御手段は、状態判断手段と、通信の開始を指示する情報が有する情報と同一の端末指定情報に対応付けられた状態情報が要件を満たすとき、端末指定情報が示す他の通信端末との通信の開始を要求する旨の情報をアクセスポイントに送信するように、通信手段を制御するための手段とをさらに含むことが望ましい。状態判断手段は、通信の開始を指示する情報が有する情報と同一の端末指定情報に対応付けられた状態情報が要件を満たすか否かを判断する。
【００２７】
また、上述の通信端末の送信制御手段は、状態情報と記憶手段が記憶した識別情報とをアクセスポイントに同時に送信するように、通信手段を制御するための手段を含むことが望ましい。
【００２８】
また、上述の通信端末の送信制御手段は、状態情報と識別情報とを繰返しアクセスポイントに送信するように、通信手段を制御するための手段を含むことが望ましい。
【００２９】
また、上述の通信端末の通信制御手段は、選択手段をさらに含むことが望ましい。選択手段は、端末指定情報に対応付けられた状態情報の中から、識別情報に対応付けられた状態情報以上に良好な通信状態を示す情報を選択する。併せて、通信端末の状態表示制御手段は、選択手段が選択した状態情報を表示するように、表示手段を制御するための手段を含むことが望ましい。
【００３０】
本発明の他の局面にしたがうと、通信システムは、サーバと、複数の通信端末とを含む。通信端末は、アクセスポイントを介してサーバと通信する。通信端末は、通信手段と、記憶手段と、通信制御手段とを含む。通信手段は、アクセスポイントと通信する。記憶手段は、識別情報を予め記憶し、かつ、端末指定情報を記憶する。端末指定情報は、他の通信端末を示す。通信端末の通信制御手段は、送信制御手段を含む。送信制御手段は、記憶手段が記憶した識別情報をアクセスポイントに送信するように、通信手段を制御する。アクセスポイントは、端末通信手段と、サーバ通信手段と、時刻検出手段と、記憶手段と、通信制御手段とを含む。端末通信手段は、通信端末と通信する。サーバ通信手段は、サーバと通信する。記憶手段は、通信端末が送信した識別情報を時刻検出手段が検出した時刻に対応付けて記憶する。アクセスポイントの通信制御手段は、記憶制御手段と、送信制御手段とを含む。記憶制御手段は、通信端末との通信が確立されると、通信端末との通信が確立された時刻を記憶するように記憶手段を制御し、かつ、通信端末が送信した識別情報を端末通信手段が受信すると、通信端末との通信が確立された時刻に対応付けて通信端末が送信した識別情報を記憶するように、記憶手段を制御する。送信制御手段は、通信端末との通信が確立された時刻を示す情報と識別情報とをサーバに送信するように、サーバ通信手段を制御する。サーバは、通信手段と、記憶手段とを含む。通信手段は、アクセスポイントと通信する。記憶手段は、時刻を示す情報と識別情報とを対応付けて記憶し、かつ、識別情報と端末指定情報とを対応付けて記憶する。通信端末の記憶手段は、識別情報に加え、端末指定情報を記憶する。通信端末の通信制御手段は、照会制御手段をさらに含む。照会制御手段は、端末指定情報をアクセスポイントに送信するように通信手段を制御する。アクセスポイントの通信制御手段は、照会制御手段をさらに含む。照会制御手段は、端末指定情報を端末通信手段が受信すると、端末指定情報をサーバに送信するようにサーバ通信手段を制御する。サーバは、通信制御手段をさらに含む。サーバの通信制御手段は、回答制御手段を含む。回答制御手段は、端末指定情報を通信手段が受信すると、時刻を示す情報のうち、識別情報を介して端末指定情報に対応付けられた情報を、端末指定情報を送信したアクセスポイントに送信するように、通信手段を制御する。アクセスポイントの通信制御手段は、回答制御手段をさらに含む。回答制御手段は、サーバ通信手段が時刻を示す情報を受信すると、端末指定情報を送信した通信端末に対し、時刻を示す情報を送信するように、端末通信手段を制御する。通信端末の記憶手段は、識別情報および端末指定情報に加え、時刻を記憶する。通信端末の通信制御手段は、記憶制御手段を含む。記憶制御手段は、通信手段が受信した情報が示す時刻を通信手段が送信した端末指定情報に対応付けて記憶するように、記憶手段を制御する。通信端末は、表示手段と、時刻検出手段とをさらに含む。通信端末の通信制御手段は、状態表示制御手段をさらに含む、状態表示制御手段は、記憶手段が記憶した時刻に応じた形態の情報を表示するように、表示手段を制御する。
【００３１】
また、上述したアクセスポイントの通信制御手段は、通信端末との通信が確立された時刻を示す情報を通信端末に送信するように端末通信手段を制御するための手段をさらに含むことが望ましい。併せて、通信端末の通信制御手段は、端末指定情報が送信されるまでに通信手段が受信した情報が示す時刻を記憶するように、記憶手段を制御するための手段をさらに含むことが望ましい。併せて、状態表示制御手段は、時間差算出手段と、時間差算出手段が算出した差に応じた形態の情報を表示するように、表示手段を制御するための手段とを含むことが望ましい。時間差算出手段は、記憶手段が記憶した時刻と記憶手段が記憶した時刻を表示する際の時刻との差を算出する。
【００３２】
本発明の他の局面にしたがうと、通信方法は、複数のアクセスポイントを介して複数の通信端末がサーバと通信するための通信方法である。通信方法は、端末送信ステップと、サーバ記憶ステップと、照会ステップと、回答ステップと、端末記憶ステップと、表示ステップと含む。端末送信ステップでは、通信端末が、状態情報と通信端末が予め記憶した
識別情報とをアクセスポイントに送信する。状態情報は、アクセスポイントと通信端末との間の通信状態を示す。サーバ記憶ステップでは、サーバが、アクセスポイントが送信した状態情報と識別情報とを対応付けて記憶する。照会ステップでは、通信端末が、端末指定情報をアクセスポイントに送信する。端末指定情報は、他の通信端末を示す。回答ステップでは、サーバが、端末指定情報を受信した後、状態情報のうち、識別情報を介して端末指定情報に対応付けられた情報を、端末指定情報を送信したアクセスポイントに送信する。端末記憶ステップでは、通信端末が、アクセスポイントから受信した状態情報をアクセスポイントに送信した端末指定情報に対応付けて記憶する。表示ステップでは、通信端末が、端末指定情報に対応付けられた状態情報を表示する。
【発明の効果】
【００３３】
本発明に係る通信システムおよび通信方法は、余分な通信をほとんど行うことなく通信相手の端末の通信状態を詳細に把握できる。
【発明を実施するための最良の形態】
【００３４】
以下、図面を参照しつつ、本発明の実施の形態について説明する。以下の説明では、同一の部品には同一の符号を付してある。それらの名称および機能も同一である。したがって、それらについての詳細な説明は繰返さない。
【００３５】
＜第１の実施の形態＞
以下、本発明の第１の実施の形態について説明する。
【００３６】
図１は、本実施の形態に係る通信システムの構成を示す概念図である。本実施の形態に係る通信システムは、通信端末５０ａと通信端末５０ｂ（以下、これらを総称して、通信端末５０と称する。）とサーバ５４とを含む。
【００３７】
本実施の形態の場合、通信端末５０は、インターネットプロトコルに従って通信する携帯電話として実現される。本実施の形態の場合、通信端末５０の一方は、アクセスポイント５２ａおよびアクセスポイント５２ｂ（以下、これらを総称して、アクセスポイント５２と称する。）の少なくとも一方とサーバ５４とを介して他方と通信する。また、通信端末５０は、サーバ５４との間で後述する強度情報を通信する。
【００３８】
図２は、本実施の形態に係る通信端末５０の構成と通信端末５０に含まれた通信制御部８８の機能とを示す図である。本実施の形態に係る通信端末５０は、通信部７０と、キー操作部７２と、マイク７４と、スピーカ７６と、ヘッドホン７８と、音声処理部８０と、表示部８２と、メモリ８６と、通信制御部８８とを含む。
【００３９】
通信部７０は、アクセスポイント５２と通信する。キー操作部７２は、ユーザの操作に応じて信号を生成することにより、ユーザの指示を示す情報やその他の情報の入力を受付ける。マイク７４は、音声を電気信号に変換する。これにより、マイク７４は、ユーザの音声を受付けることとなる。スピーカ７６は、音声を示す電気信号を音声に変換する。これにより、スピーカ７６は、音声を出力することとなる。ヘッドホン７８は、マイク７４およびスピーカ７６とは別に、ユーザの音声を電気信号に変換し、音声を示す電気信号を音声に変換する。音声処理部８０は、マイク７４やヘッドホン７８が出力した電気信号を通信制御部８８などが利用できる信号に変換する。また、音声処理部８０は、通信制御部８８などが出力した信号をスピーカ７６やヘッドホン７８が利用できる信号に変換する。表示部８２は、電気信号の入力があるとその電気信号に応じた情報を表示する。これにより、表示部８２は、電気信号が示す情報を表示する装置として動作することとなる。メモリ８６は、情報を記憶する。通信制御部８８は、ＣＰＵ（Central Processing Unit）により実現され、通信端末５０の各部を制御する。また、通信制御部８８は、各種の演算や
検索などを行なう。
【００４０】
本実施の形態に場合、メモリ８６に記憶される情報には、状態データベース９０と、電話帳データベース９２と、オーナー情報データベース９４とがある。その他にも各種の情報がメモリ８６に記憶される。メモリ８６に記憶される他の情報のうち、本実施の形態における通信端末５０の動作に関わるものについては後述する。
【００４１】
状態データベース９０は、状態情報を含むデータベースである。本実施の形態において、「状態情報」とは、通信状態を示す情報である。状態データベース９０に含まれる状態情報は、状態データベース９０が記憶される通信端末５０の通信状態を示す。本実施の形態の場合についてより具体的に説明すると、状態データベース９０は、状態情報の一種である強度情報を含む。本実施の形態における「強度情報」は、通信部７０が通信に用いている電波の強度を示す情報である。その電波が強ければ、通信部７０の通信状態は良好であると考えられる。
【００４２】
電話帳データベース９２は、他の通信端末５０についての各種の情報と強度情報とを含むデータベースである。「各種の情報」の例には、ユーザの氏名、電話番号、ＩＰ（Internet Protocol）アドレス、ユーザの所属、ユーザの住所、あるいはユーザが利用している電子メールアドレスがある。電話帳データベース９２において、電話番号に対応付けて強度情報は含まれている。なお、本実施の形態の場合、通信端末５０はインターネットプロトコルに従って通信するので、強度情報は、電話番号に代えて、あるいは電話番号と共に、ＩＰアドレスに対応付けられていても良い。この場合、上述した「各種の情報」としてＩＰアドレスが含まれることが必要である。通信端末５０が他のプロトコルに従って通信するのであれば、強度情報は、電話番号やＩＰアドレス以外の情報に対応付けられていてもよい。
【００４３】
オーナー情報データベース９４は、オーナー情報データベース９４自身が記憶された通信端末５０を示す各種の情報を含む。その「各種の情報」の例は、電話帳データベース９２に含まれる情報と同様である。
【００４４】
通信制御部８８は、強度測定部１００と、取得制御部１０２と、時刻検出部１０４とを含む。
【００４５】
強度測定部１００は、通信部７０が通信に用いている電波の強度を測定する。取得制御部１０２は、ＣＰＵ（Central Processing Unit）により実現され、アクセスポイント５２との通信を制御する。時刻検出部１０４は、時刻を検出する。本実施の形態の場合、時刻検出部１０４は、リアルタイムクロックにより実現され、自らが検出した時刻を、通信端末５０の各部に常時出力している。
【００４６】
取得制御部１０２は、レジスト情報送信制御部１１０と、照会制御部１１２と、記憶制御部１１４と、状態表示制御部１１６と、状態判断部１１８と、結果表示制御部１２０と、確立制御部１２２と、遮断制御部１２４とを含む。
【００４７】
レジスト情報送信制御部１１０は、レジストのための情報をアクセスポイント５２に送信するよう、通信部７０を制御する。その情報の最終的な送信先はサーバ５４である。本実施の形態において、「レジスト」とは、サーバ５４に対し、通信端末５０の識別情報を登録させることである。本実施の形態の場合、レジスト情報送信制御部１１０は、レジストのための情報として、強度情報と、通信端末５０の識別情報とを送信するように、通信部７０を制御する。なお、この識別情報が具体的にどのようなものかということは、通話のために用いるプロトコルが何かということによって定まる。本実施の形態についてより
具体的に述べると、その識別情報は、ＩＰアドレスを含む数種類の情報の集合体である。
【００４８】
照会制御部１１２は、端末指定情報をアクセスポイント５２に送信するように、通信部７０を制御する。この情報は、サーバ５４を宛先として送信される。サーバ５４がこの情報を受信することにより、通信端末５０からサーバ５４に対し強度情報の照会があったとみなされる。本実施の形態において、端末指定情報とは、通信端末５０を示す情報である。本実施の形態についてより具体的に述べると、通信端末５０の電話番号が端末指定情報として用いられる。
【００４９】
記憶制御部１１４は、通信部７０が強度情報と端末識別情報（照会制御部１１２の制御により通信部７０が送信した情報）とを受信すると、その強度情報を記憶するようにメモリ８６を制御する。通信部７０が受信した強度情報は、電話帳データベース９２に含まれる。電話帳データベース９２において、通信部７０が受信した強度情報は、通信部７０によって端末指定情報として送信された電話番号に対応付けられる。
【００５０】
状態表示制御部１１６は、他の通信端末５０の電話番号（電話帳データベース９２に含まれた電話番号）と、その通信端末５０のユーザの氏名と、その通信端末５０の強度情報とを表示するように、表示部８２を制御する。
【００５１】
状態表示制御部１１６は、順位特定部１３０と、形態特定部１３２とを含む。
順位特定部１３０は、電話帳データベース９２が含む強度情報に基づき、それらの強度情報が示す強度の順位を特定する。形態特定部１３２は、それらの強度情報が示す強度に基づき、表示される電話番号や強度情報などの表示形態を特定する。
【００５２】
状態判断部１１８は、電話帳データベース９２に含まれた強度情報に基づき、これから通信を開始しようとする通信端末５０が通信可能な状態にあるか否かを判断する。本実施の形態の場合についてより具体的に述べると、状態判断部１１８は、電話帳データベース９２に含まれた強度情報に基づき、その強度情報が示す電波の強度が閾値を超えているか否かを判断する。
【００５３】
結果表示制御部１２０は、状態判断部１１８が判断した結果に応じた画像を表示するように、表示部８２を制御する。その画像の具体的な内容は後述する。
【００５４】
確立制御部１２２は、電波の強度が閾値を超えると状態判断部１１８が判断したとき、電波の強度が閾値を超えていると判断された通信端末５０に対し、アクセスポイント５２およびサーバ５４を介した通信を確立するように、通信部７０を制御する。
【００５５】
遮断制御部１２４は、アクセスポイント５２との通信を遮断するように、通信部７０を制御する。
【００５６】
図３は、本実施の形態に係るアクセスポイント５２の構成と通信制御部１４６の機能とを示す図である。本実施の形態に係るアクセスポイント５２は、無線通信部１４０と、有線通信部１４２と、記憶部１４４と、通信制御部１４６とを含む。
【００５７】
無線通信部１４０は、通信端末５０と電波により通信する。有線通信部１４２は、サーバ５４と通信する。記憶部１４４は、端末データベース１４８を記憶する。本実施の形態において、端末データベース１４８は、無線通信部１４０との間で通信が確立されている通信端末５０の識別情報と、その通信端末５０が送信した強度情報とを含む。通信制御部１４６は、無線通信部１４０を用いた通信端末５０との通信、および、有線通信部１４２を用いたサーバ５４との通信を制御する。
【００５８】
通信制御部１４６は、確立制御部１５０と、記憶制御部１５２と、送信制御部１５４と、照会制御部１５６と、回答制御部１５８と、遮断制御部１６０と、通知制御部１６２とを含む。
【００５９】
確立制御部１５０は、通信端末５０と無線通信部１４０との通信を確立するように無線通信部１４０を制御する。また、確立制御部１５０は、それ自身に含まれている端末認証部を用いて通信端末５０の認証を行なう。記憶制御部１５２は、通信端末５０との通信が確立されると、通信端末５０から受信した強度情報とその通信端末５０の識別情報とを端末データベース１４８の一部として記憶するように、記憶部１４４を制御する。
【００６０】
送信制御部１５４は、端末データベース１４８に含まれた強度情報と識別情報とをサーバ５４に送信するように、有線通信部１４２を制御する。
【００６１】
照会制御部１５６は、無線通信部１４０が通信端末５０から端末指定情報を受信すると、その端末指定情報をサーバ５４に送信するように有線通信部１４２を制御する。
【００６２】
回答制御部１５８は、有線通信部１４２がサーバ５４から強度情報と端末指定情報とを受信すると、端末指定情報を送信した通信端末５０に対し、それらの情報を送信するように、無線通信部１４０を制御する。
【００６３】
遮断制御部１６０は、通信端末５０との通信を遮断するように、無線通信部１４０を制御する。
【００６４】
通知制御部１６２は、通信端末５０との通信が遮断されると、そのことを示す情報をサーバ５４に送信するように、有線通信部１４２を制御する。
【００６５】
図４は、本実施の形態に係るサーバ５４の構成とサーバ５４に含まれた通信制御部１７４の機能とを示す図である。本実施の形態に係るサーバ５４は、通信部１７０と、記憶部１７２と、通信制御部１７４とを含む。
【００６６】
通信部１７０は、アクセスポイント５２と通信する。記憶部１７２は、一時記憶データベース１８０と、端末データベース１８２とを記憶する。一時記憶データベース１８０は、強度情報と、その強度情報が電波の強度を示す通信端末５０の識別情報とを含む。一時記憶データベース１８０において、これらの情報は互いに対応付けられている。また、一時記憶データベース１８０は、ある通信端末５０が他の通信端末５０とサーバ５４を介して通信するための各種の情報を含む。端末データベース１８２は、通信端末５０の電話番号と通信端末５０の識別情報とを含む。端末データベース１８２において、これらの情報は互いに対応付けられている。
【００６７】
通信制御部１７４は、識別部１９０と、レジスト検知部１９２と、照会検知部１９４と、回答制御部１９６と、中継制御部１９８と、削除制御部２００と、記憶制御部２０２とを含む。
【００６８】
識別部１９０は、通信部１７０が受信した情報の種類を識別する。
レジスト検知部１９２は、識別部１９０が出力した情報（この情報は、通信部１７０が受信した情報である）がレジスト要求を示す情報か否かの最終的な判断を行う。「レジスト要求」とは何かということについては後述する。
【００６９】
照会検知部１９４は、識別部１９０が出力した情報（この情報は、通信部１７０が受信
した情報である）が照会のための情報か否かの最終的な判断を行う。
【００７０】
回答制御部１９６は、端末指定情報を通信部１７０が受信すると、強度情報のうち、次に述べる識別情報に対応付けられた情報を、その端末指定情報と共に、その端末指定情報を送信したアクセスポイント５２に送信するように、通信部１７０を制御する。その識別情報とは、端末データベース１８２において、通信部１７０が受信した端末指定情報と同一の端末指定情報に対応付けられた情報である。
【００７１】
中継制御部１９８は、通話のための情報（音声データなど）を通信部１７０が受信すると、その情報を転送するように通信部１７０を制御する。
【００７２】
削除制御部２００は、あるアクセスポイント５２から、ある通信端末５０との間の通信が遮断されたことを示す情報を通信部１７０が受信すると、一時記憶データベース１８０に含まれた、その通信端末５０についての情報を削除するように、記憶部１７２を制御する。
【００７３】
記憶制御部２０２は、通信端末５０の識別情報とその通信端末５０についての強度情報とを通信部１７０が受信すると、その識別情報と強度情報とを対応付けて記憶するように、記憶部１７２を制御する。それらの情報は、一時記憶データベース１８０に含まれる。
【００７４】
図５を参照して、通信端末５０で実行されるプログラムは、通話の開始に関し、以下のような制御を実行する。
【００７５】
ステップＳ２１０にて、確立制御部１２２は、アクセスポイント５２と通信を確立するための認証処理を実施する。認証処理のための具体的な内容は周知なので、ここではその詳細な説明は繰返さない。
【００７６】
ステップＳ２１２にて、強度測定部１００は、アクセスポイント５２と通信部７０との間の通信に用いられる電波の強度を測定する。強度測定部１００は、測定された強度を示す強度情報をレジスト情報送信制御部１１０に出力する。
【００７７】
ステップＳ２１４にて、レジスト情報送信制御部１１０は、オーナー情報データベース９４からそこに含まれた通信端末５０の識別情報を読出す。識別情報が読出されると、レジスト情報送信制御部１１０は、強度測定部１００が出力した強度情報とその識別情報とをアクセスポイント５２に送信するように、通信部７０を制御する。本実施の形態において、これらの情報を送信することはサーバ５４に対しレジストを要求することを意味する。このため、この送信処理を「レジスト要求」と称する。
【００７８】
ステップＳ２１６にて、レジスト情報送信制御部１１０は、通信部７０がレジスト通知を受信するのを待受ける。本実施の形態において、「レジスト通知」とは、ステップＳ２１４にて通信部７０が送信した強度情報と識別情報とがサーバ５４に登録されたことを示す情報である。レジスト通知の送信元はサーバ５４である。
【００７９】
ステップＳ２１８にて、レジスト情報送信制御部１１０は、サーバ５４に登録された強度情報と識別情報との更新時期が到来したか否かを判断する。レジスト情報送信制御部１１０は、強度情報と識別情報とを通信部７０が送信したときからの経過時間が予め定められた時間を経過したとき、更新時期が到来したと判断する。本実施の形態の場合、この経過時間は、時刻検出部１０４が検出した時刻に基づいてレジスト情報送信制御部１１０自身により算出される。更新時期が到来したと判断した場合（ステップＳ２１８にてＹＥＳ）、処理はステップＳ２１２へと移される。もしそうでないと（ステップＳ２１８にてＮ
Ｏ）、処理はステップＳ２２０へと移される。
【００８０】
ステップＳ２２０にて、遮断制御部１２４は、通信部７０とアクセスポイント５２との間の通信を遮断するか否かを判断する。通信を遮断するか否かの判断は特に限定されない。本実施の形態の場合、強度測定部１００が測定した電波の強度が閾値を下回ると、遮断制御部１２４は通信を遮断すると判断する。通信を遮断すると判断した場合（ステップＳ２２０にてＹＥＳ）、処理はステップＳ２２２へと移される。もしそうでないと（ステップＳ２２０にてＮＯ）、処理はステップＳ２２４へと移される。
【００８１】
ステップＳ２２２にて、遮断制御部１２４は、通信部７０とアクセスポイント５２との間の通信を遮断するように、通信部７０を制御する。通信を遮断するための具体的な手順は周知なので、ここではその詳細な説明は繰返さない。
【００８２】
ステップＳ２２４にて、照会制御部１１２は、サーバ５４から強度情報を取得するか否かを判断する。強度情報を取得するか否かの判断基準は特に限定されない。本実施の形態においては、照会制御部１１２は、強度情報を取得した後の経過時間が閾値を超えたとき、強度情報を取得すると判断する。強度情報を取得すると判断した場合（ステップＳ２２４にてＹＥＳ）、処理はステップＳ２２６へと移される。もしそうでないと（ステップＳ２２４にてＮＯ）、処理はステップＳ２３０へと移される。
【００８３】
ステップＳ２２６にて、照会制御部１１２は、電話帳データベース９２に含まれた電話番号をメモリ８６から読出す。本実施の形態においては、電話帳データベース９２に含まれた電話番号すべてが読み出される（何らかの要件を予め設定しておき、その要件を満たす電話番号のみを読み出すこととしてよいのは言うまでもない）。電話番号が読出されると、照会制御部１１２は、その電話番号（この場合、電話番号は端末指定情報として扱われている）をアクセスポイント５２に送信するように、通信部７０を制御する。
【００８４】
ステップＳ２２８にて、記憶制御部１１４は、通信部７０が強度情報と電話番号とを受信するのを待受ける。通信部７０が強度情報と電話番号とを受信すると、記憶制御部１１４は、その強度情報をその電話番号に対応付けて記憶するようにメモリ８６を制御する。受信した強度情報は電話帳データベース９２に含まれる。なお、通信部７０が受信した電話番号は、端末指定情報としてステップＳ２２６にて通信部７０が送信したものである。このため、この電話番号は、電話帳データベース９２の一部として既に記憶されている。既に記憶されているので、電話番号自体の記憶は行われない。
【００８５】
ステップＳ２３０にて、順位特定部１３０は、表示部８２において強度情報を表示するか否かを判断する。強度情報を表示するか否かの判断基準は特に限定されないが、本実施の形態の場合において、キー操作部７２においてユーザが所定の操作を行なった場合、順位特定部１３０は、強度情報を表示すると判断する。強度情報を表示すると判断した場合（ステップＳ２３０にてＹＥＳ）、処理はステップＳ２３２へと移される。もしそうでないと（ステップＳ２３０にてＮＯ）、処理はステップＳ２３８へと移される。
【００８６】
ステップＳ２３２にて、順位特定部１３０は、電話帳データベース９２に含まれた強度情報の順位を特定する。本実施の形態の場合、順位特定部１３０は、強度情報が示す電波の強度に基づいて、強度情報の順位を特定する。本実施の形態の場合、電波の強度が高くなるにつれ順位も高くなるように強度情報の順位は特定される。
【００８７】
ステップＳ２３４にて、形態特定部１３２は、順位特定部１３０が順位を特定した強度情報の表示形態を選択する。本実施の形態の場合、形態特定部１３２は、強度情報が示す電波の強度に応じて、表示形態を選択する。形態特定部１３２によって選択される表示形
態の候補（本実施の形態についてより具体的に説明すると、強度のランクを示す値）は、メモリ８６に記憶されている。
【００８８】
ステップＳ２３６にて、形態特定部１３２は、ステップＳ２３４にて選択した表示形態で強度情報を表示するように表示部８２を制御する。併せて、形態特定部１３２は、その強度情報とともに、その強度情報が強度を示す通信端末５０の電話番号やその通信端末５０のユーザの氏名などを表示部８２に表示させる。本実施の形態の場合、表示の順序は、順位特定部１３０が特定した順序に従う。
【００８９】
ステップＳ２３８にて、確立制御部１２２は、他の通信端末５０との通話のための通信を開始するか否かを判断する。確立制御部１２２は、キー操作部７２が受付けた指示に応じてそれを開始するか否かを判断する。通信を開始すると判断した場合（ステップＳ２３８にてＹＥＳ）、処理はステップＳ２４０へと移される。もしそうでないと（ステップＳ２３８にてＮＯ）、処理はステップＳ２１８へと移される。
【００９０】
ステップＳ２４０にて、状態判断部１１８は、電話帳データベース９２に含まれた強度情報のうち、キー操作部７２が受付けた電話番号に対応付けられた強度情報が示す強度が閾値以上か否かを判断する。その強度が閾値以上と判断した場合（ステップＳ２４０にてＹＥＳ）、処理はステップＳ２４２へと移される。もしそうでないと（ステップＳ２４０にてＮＯ）、処理はステップＳ２４６へと移される。
【００９１】
ステップＳ２４２にて、結果表示制御部１２０は、「呼出中」という文字を示す画像を表示するように表示部８２を制御する。
【００９２】
ステップＳ２４４にて、確立制御部１２２は、キー操作部７２が受付けた電話番号が示す通信端末５０との間で通話を開始するため、アクセスポイント５２に情報を送信する。通話を開始するための処理（すなわち、アクセスポイント５２にログインし、そのアクセスポイント５２やサーバ５４を介した通信を他の通信端末５０と確立するための処理）は周知なので、ここではその詳細な説明は繰返さない。
【００９３】
ステップＳ２４６にて、結果表示制御部１２０は、「通話不可」という文字を示す画像を表示するように表示部８２を制御する。
【００９４】
図６を参照して、アクセスポイント５２で実行されるプログラムは、通信端末５０からの情報の受信に関し、以下のような制御を実行する。
【００９５】
ステップＳ２５０にて、無線通信部１４０は、通信端末５０からの情報の送信を待受ける。
【００９６】
ステップＳ２５２にて、確立制御部１５０は、無線通信部１４０が受信した情報がアクセスポイント５２に対し認証を要求するためのものか否かを判断する。認証を要求するためのものと判断した場合（ステップＳ２５２にてＹＥＳ）、処理はステップＳ２５４へと移される。もしそうでないと（ステップＳ２５２にてＮＯ）、処理はステップＳ２５６へと移される。
【００９７】
ステップＳ２５４にて、確立制御部１５０は、認証処理を行なう。認証処理のための具体的な手順は周知なので、ここではその詳細な説明は繰返さない。
【００９８】
ステップＳ２５６にて、記憶制御部１５２は、通信部１７０が受信した情報がレジスト要求を示すものか否かを判断する。レジスト要求を示すものと判断した場合（ステップＳ
２５６にてＹＥＳ）、処理はステップＳ２５８へと移される。もしそうでないと（ステップＳ２５６にてＮＯ）、処理はステップＳ２６６へと移される。
【００９９】
ステップＳ２５８にて、記憶制御部１５２は、無線通信部１４０が受信した識別情報を記憶するように記憶部１４４を制御する。その識別情報は端末データベース１４８に含まれる。端末データベース１４８に含まれることとなる識別情報は、レジスト要求を示す情報に含まれている。
【０１００】
ステップＳ２６０にて、記憶制御部１５２は、レジスト要求を示す情報に含まれた強度情報を記憶するように記憶部１４４を制御する。記憶された強度情報は端末データベース１４８に含まれる。この強度情報は、ステップＳ２５８にて記憶部１４４に記憶された識別情報に対応付けられる。
【０１０１】
ステップＳ２６２にて、送信制御部１５４は、ステップＳ２５８およびステップＳ２６０にて記憶部１４４に記憶された識別情報と強度情報とをサーバ５４に送信するように有線通信部１４２を制御する。
【０１０２】
ステップＳ２６６にて、遮断制御部１６０は、ステップＳ２５０にて情報を送信した通信端末５０との通信を遮断するか否かを判断する。その通信を遮断するか否かは、ステップＳ２５０にて受信した情報が通信の遮断を要求するものか否かに基づき判断される。通信を遮断すると判断した場合（ステップＳ２６６にてＹＥＳ）、処理はステップＳ２６８へと移される。もしそうでないと（ステップＳ２６６にてＮＯ）、処理はステップＳ２７２へと移される。
【０１０３】
ステップＳ２６８にて、遮断制御部１６０は、遮断処理を実施する。遮断処理の具体的な手順は周知なので、ここではその詳細な説明は繰返さない。
【０１０４】
ステップＳ２７０にて、通知制御部１６２は、通信が遮断された通信端末５０の識別情報とともに、その通信端末５０との通信が遮断された旨の情報を送信するように、有線通信部１４２を制御する。
【０１０５】
ステップＳ２７２にて、照会制御部１５６は、ステップＳ２５０にて受信した情報が強度情報を要求するものか否かを判断する。その情報が強度情報を要求するものか否かの判断基準は特に限定されないが、本実施の形態においては、ステップＳ２５０にて受信した情報がその旨を示し、かつ、端末指定情報を含むとき、その情報が強度情報を要求するものと判断する。強度情報を要求するものと判断した場合（ステップＳ２７２にてＹＥＳ）、処理はステップＳ２７４へと移される。もしそうでないと（ステップＳ２７２にてＮＯ）、処理はステップＳ２７６へと移される。
【０１０６】
ステップＳ２７４にて、照会制御部１５６は、ステップＳ２５０にて無線通信部１４０が受信した端末指定情報（すなわち電話番号）と、その送信元を示す情報とを記憶するように記憶部１４４を制御する。それらが記憶されると、照会制御部１５６は、その電話番号をサーバ５４に送信するように有線通信部１４２を制御する。
【０１０７】
ステップＳ２７６にて、確立制御部１５０は、ステップＳ２５０にて受信した情報が、通話に関するものか（通話の開始を要求する情報や音声データなど）否かを判断する。通話に関するものと判断した場合（ステップＳ２７６にてＹＥＳ）、処理はステップＳ２７８へと移される。もしそうでないと（ステップＳ２７６にてＮＯ）、処理はステップＳ２５０へと移される。
【０１０８】
ステップＳ２７８にて、確立制御部１５０は、ステップＳ２５０にて無線通信部１４０が受信した情報をサーバ５４に送信するように有線通信部１４２を制御する。
【０１０９】
図７を参照して、アクセスポイント５２で実行されるプログラムは、サーバ５４からの情報の受信に関し、以下のような制御を実行する。
【０１１０】
ステップＳ２９０にて、有線通信部１４２は、サーバ５４からの情報の送信を待受ける。
【０１１１】
ステップＳ２９２にて、送信制御部１５４は、ステップＳ２９０にて有線通信部１４２が受信した情報がレジスト通知を示すか否かを判断する。レジスト通知を示すと判断した場合（ステップＳ２９２にてＹＥＳ）、処理はステップＳ２９４へと移される。もしそうでないと（ステップＳ２９２にてＮＯ）、処理はステップＳ２９６へと移される。
【０１１２】
ステップＳ２９４にて、送信制御部１５４は、レジスト要求を行った通信端末５０に対し、レジスト通知を送信するように、無線通信部１４０を制御する。
【０１１３】
ステップＳ２９６にて、回答制御部１５８は、ステップＳ２９０にて有線通信部１４２が受信した情報が強度情報と端末指定情報とを示すか否かを判断する。強度情報と端末指定情報とを示すと判断した場合（ステップＳ２９６にてＹＥＳ）、処理はステップＳ２９８へと移される。もしそうでないと（ステップＳ２９６にてＮＯ）、処理はステップＳ３００へと移される。
【０１１４】
ステップＳ２９８にて、回答制御部１５８は、ステップＳ２７４にて記憶部１４４に記憶された情報が示す端末指定情報（本実施の形態の場合、電話番号を示す）の送信元に対し、ステップＳ２９０にて受信した強度情報とその端末指定情報とを送信するように無線通信部１４０を制御する。
【０１１５】
ステップＳ３００にて、確立制御部１５０は、ステップＳ２９０にて有線通信部１４２が受信した情報が通話のための情報とみなし、通話のための情報に応じた処理を実施する。そのための具体的な手順は周知なので、ここではその詳細な説明は繰り返さない。
【０１１６】
図８を参照して、サーバ５４で実行されるプログラムは、情報の通信に関し、以下のような制御を実行する。
【０１１７】
ステップＳ３１０にて、通信部１７０は、アクセスポイント５２からの情報を待受ける。
【０１１８】
ステップＳ３１２にて、識別部１９０およびレジスト検知部１９２は、ステップＳ３１０にて通信部１７０が受信した情報が、レジストを要求する旨の情報か否かを判断する。レジストを要求する旨の情報と判断した場合（ステップＳ３１２にてＹＥＳ）、処理はステップＳ３１３へと移される。もしそうでないと（ステップＳ３１２にてＮＯ）、処理はステップＳ３１６へと移される。
【０１１９】
ステップＳ３１３にて、レジスト検知部１９２は、アクセスポイント５２に対してレジスト通知を送信するように通信部１７０を制御する。本実施の形態の場合、レジスト通知を送信する際、レジスト通知の最終的な送信先として、レジスト要求を行った通信端末５０が指定されている。
【０１２０】
ステップＳ３１４にて、記憶制御部２０２は、ステップＳ３１０にて通信部１７０が受
信した識別情報と強度情報とを対応付けて記憶するように記憶部１７２を制御する。これらの情報は一時記憶データベース１８０に含まれる。また、端末データベース１８２には、その識別情報が、その識別情報を送信した通信端末５０の電話番号に対応付けられて含まれる。
【０１２１】
ステップＳ３１６にて、識別部１９０は、ステップＳ３１０にて通信部１７０が受信した情報が、通信が遮断されたことを示すか否かを判断する。通信が遮断されたことを示すと判断した場合（ステップＳ３１６にてＹＥＳ）、処理はステップＳ３１８へと移される。もしそうでないと（ステップＳ３１６にてＮＯ）、処理はステップＳ３２０へと移される。
【０１２２】
ステップＳ３１８にて、削除制御部２００は、一時記憶データベース１８０に含まれた強度情報と識別情報とのうち、ステップＳ３１０にて通信部１７０が受信した情報（通信が遮断されたことを示す情報）が示す通信端末５０についての強度情報と識別情報とを削除するように記憶部１７２を制御する。また、削除制御部２００は、端末データベース１８２に含まれたその通信端末５０についての識別情報も削除する。
【０１２３】
ステップＳ３２０にて、識別部１９０および照会検知部１９４は、ステップＳ３１０にて通信部１７０が受信した情報が、強度情報の送信を要求するものか否かを判断する。強度情報の送信を要求するものと判断した場合（ステップＳ３２０にてＹＥＳ）、処理はステップＳ３２２へと移される。もしそうでないと（ステップＳ３２０にてＮＯ）、処理はステップＳ３２４へと移される。
【０１２４】
ステップＳ３２２にて、回答制御部１９６は、端末データベース１８２に含まれた識別情報のうち、ステップＳ３１０にて通信部１７０が受信した情報（強度情報の送信を要求することを示す情報）が示す端末指定情報に対応付けられた識別情報を読み出す。その識別情報が読み出されると、回答制御部１９６は、一時記憶データベース１８０に含まれた強度情報のうち、端末データベース１８２から読み出された識別情報に対応付けられた強度情報を読み出す。その強度情報が読み出されると、回答制御部１９６は、ステップＳ３１０にて通信部１７０が受信した情報が示す端末指定情報とその強度情報とをアクセスポイント５２に送信するように通信部１７０を制御する。
【０１２５】
ステップＳ３２４にて、識別部１９０は、ステップＳ３１０にて通信部１７０が受信した情報が、通話に関するものか否かを判断する。通話に関するものと判断した場合（ステップＳ３２４にてＹＥＳ）、処理はステップＳ３２６へと移される。もしそうでないと（ステップＳ３２４にてＮＯ）、処理はステップＳ３１０へと移される。
【０１２６】
図９は、本実施の形態に係る通信システムにおける情報の流れを示す図である。図９を参照しつつ、以上のような構造およびフローチャートに基づく、通信システムの動作について説明する。
【０１２７】
通信端末５０ｂ（第２通信端末）の確立制御部１２２は、認証処理を行なう（ステップＳ２１０）。図９において、第２通信端末からアクセスポイント５２ｂ（第２ＡＰ）への「接続要求」と記された矢印がこの処理を示す。アクセスポイント５２ｂの無線通信部１４０は情報を待受ける（ステップＳ２５０）。情報が受信されると、アクセスポイント５２ｂの確立制御部１５０は、その情報が認証を要求するものか否かを判断する（ステップＳ２５２）。この場合、その情報は認証を要求するものなので（ステップＳ２５２にてＹＥＳ）、確立制御部１５０は認証処理を行なう（ステップＳ２５４）。図９において、第２通信端末と第２ＡＰとの間の「ＷＡＮ認証」との記載は、このことを示す。なお、認証が終了すると、確立制御部１５０は、認証が終了したことを示す情報を通信端末５０ｂに
送信するよう無線通信部１４０を制御する。図９の第２ＡＰから第２通信端末への「接続確認」と記された矢印はこのことを示す。
【０１２８】
認証が終了すると、通信端末５０ｂの強度測定部１００は、通信部７０とアクセスポイント５２ｂとの間の通信に用いられる電波の強度を測定する（ステップＳ２１２）。電波の強度が測定されると、レジスト情報送信制御部１１０は、強度測定部１００が出力した強度情報とその識別情報とをアクセスポイント５２に送信するように、通信部７０を制御する（ステップＳ２１４）。アクセスポイント５２ｂの無線通信部１４０は、その情報を待受ける（ステップＳ２５０）。その情報が受信されると、ステップＳ２５２の処理を経て、アクセスポイント５２ｂの記憶制御部１５２は、その情報がレジストを要求する旨の情報か否かを判断する（ステップＳ２５６）。この場合、その情報はレジストを要求するものなので（ステップＳ２５６にてＹＥＳ）、記憶制御部１５２は、無線通信部１４０が受信した識別情報を記憶するように記憶部１４４を制御する（ステップＳ２５８）。識別情報が記憶されると、記憶制御部１５２は、強度情報を記憶するように記憶部１４４を制御する（ステップＳ２６０）。強度情報が記憶されると、送信制御部１５４は、識別情報と強度情報とをサーバ５４に送信するように有線通信部１４２を制御する（ステップＳ２６２）。サーバ５４の通信部１７０は、その情報を待受ける（ステップＳ３１０）。図９において、第２通信端末からサーバ５４（レジスト管理サーバ）までの間の「レジスト通知兼通信状態通知」と記載された矢印はこれらの処理を示す。
【０１２９】
その情報が受信されると、識別部１９０およびレジスト検知部１９２は、その情報がレジストを要求するものか否かを判断する（ステップＳ３１２）。この場合、その情報はレジストを要求するものなので（ステップＳ３１２にてＹＥＳ）、レジスト検知部１９２は、アクセスポイント５２に対してレジスト通知を送信するように通信部１７０を制御する（ステップＳ３１３）。レジスト通知が送信されると、記憶制御部２０２は、通信部１７０が受信した識別情報と強度情報とを対応付けて記憶するように記憶部１７２を制御する（ステップＳ３１４）。図９において、サーバ５４（レジスト管理サーバ）の「第２通信端末通信状態記憶」と記載された矢印はこれらの処理を示す。
【０１３０】
アクセスポイント５２ｂの有線通信部１４２は、サーバ５４からの情報を待受ける（ステップＳ２９０）。情報が受信されると、送信制御部１５４は、有線通信部１４２が受信した情報がレジスト通知を意味するか否かを判断する（ステップＳ２９２）。この場合、レジスト通知を意味するので（ステップＳ２９２にてＹＥＳ）、送信制御部１５４は、レジスト通知を送信するように無線通信部１４０を制御する（ステップＳ２９４）。通信端末５０ｂの通信部７０はレジスト通知を待受ける（ステップＳ２１６）。図９において、レジスト管理サーバから第２通信端末までの間に付され、かつ、「レジスト通知」と記載された矢印はこれらの処理を示す。
【０１３１】
その後、上述した処理と同様の処理により、通信端末５０ａはアクセスポイント５２ａを介してサーバ５４と通信することにより、強度情報と識別情報とをサーバ５４に登録している。図９において、「接続要求」と記載され、かつ「第１通信端末」から「第１ＡＰ」までに付された矢印と、「第１通信端末」と「第１ＡＰ」との間の「ＷＡＮ認証」との記載と、「接続確認」と記載され、かつ「第１ＡＰ」から「第１通信端末」までに付された矢印と、「レジスト通知兼状態通知」と記載され、かつ、「第１通信端末」から「レジスト管理サーバ」までに付された矢印と、「第１通信端末通信状態記憶」との記載と、「レジスト通知」と記載され、かつ「レジスト管理サーバ」から「第１通信端末」までに付された矢印とは、通信端末５０ａとアクセスポイント５２ａとサーバ５４との間におけるそのための一連の処理を示す。
【０１３２】
その後、通信端末５０ａのレジスト情報送信制御部１１０は、強度情報と識別情報との
更新時期が到来したか否かを判断する（ステップＳ２１８）。この場合、更新時期が到来していないとすると（ステップＳ２１８にてＮＯ）、通信端末５０ａの遮断制御部１２４は、アクセスポイント５２ａとの間の通信を遮断するか否かを判断する（Ｓ２２０）。通信を遮断しない場合（ステップＳ２２０にてＮＯ）、通信端末５０ａの照会制御部１１２は、強度情報を取得するか否かを判断する（ステップＳ２２４）。強度情報を取得する場合（ステップＳ２２４にてＹＥＳ）、照会制御部１１２は、電話帳データベース９２に含まれた電話番号を送信するように通信部７０を制御する（ステップＳ２２６）。この場合、通信端末５０ｂの電話番号も送信されることとする。アクセスポイント５２ａの無線通信部１４０は、その電話番号を受信する（ステップＳ２５０）。電話番号が受信されると、ステップＳ２５２およびステップＳ２５６の処理を経て、アクセスポイント５２ａの遮断制御部１６０は、通信端末５０ａとの通信を遮断するか否かを判断する（ステップＳ２６６）。この場合、通信は遮断されないので（ステップＳ２６６にてＮＯ）、アクセスポイント５２ａの照会制御部１５６は、ステップＳ２５０にて受信した情報が強度情報を要求するためのものか否かを判断する（ステップＳ２７２）。この場合、その情報は強度情報を要求するためのものなので（ステップＳ２７２にてＹＥＳ）、照会制御部１５６は、サーバ５４に電話番号を送信するように有線通信部１４２を制御する（ステップＳ２７４）。サーバ５４の通信部１７０は、その電話番号を受信する（ステップＳ３１０）。これにより、通信端末５０ｂの電話番号がアクセスポイント５２ａからサーバ５４に送信されることとなる。図９において、第１通信端末からレジスト管理サーバまでの間に付され、かつ、「第２通信端末状態取得要求」と記載された矢印は、ここまでの処理を示す。
【０１３３】
サーバ５４が電話番号を受信すると、ステップＳ３１２の処理を経て、識別部１９０は、ステップＳ３１０にて受信された情報が通信の遮断を示すか否かを判断する（ステップＳ３１６）。この場合、ステップ３１０にて受信された情報はそのようなことを示さないので（ステップ３１６にてＮＯ）、識別部１９０および照会検知部１９４は、ステップＳ３１０にて受信した情報は強度情報の送信を要求するものであるか否かを判断する（ステップＳ３２０）。この場合、ステップＳ３１０にて受信した情報は強度情報の送信を要求するものなので（ステップＳ３２０にてＹＥＳ）、回答制御部１９６は、一時記憶データベース１８０から、ステップＳ３１０にて受信した電話番号に対応する強度情報を読出す。図９に示す「第２通信端末通信状態読出し」との記載は、この処理を示す。
【０１３４】
強度情報が読み出されると、通信端末５０ａの回答制御部１９６は、その強度情報をステップＳ３１０にて受信した電話番号とともに送信するように通信部１７０を制御する（ステップＳ３２２）。アクセスポイント５２ａの有線通信部１４２は、その情報を待受ける（ステップＳ２９０）。情報が受信されると、ステップＳ２９２の処理を経て、回答制御部１５８は、その情報が強度情報と電話番号とを示すか否かを判断する（ステップＳ２９６）。この場合、その情報は強度情報と電話番号とを示すので（ステップＳ２９６にてＹＥＳ）、回答制御部１５８は、ステップＳ２７４にて電話番号を送信した通信端末５０ａに対し、強度情報と電話番号とを送信するように、無線通信部１４０を制御する（ステップＳ２９８）。通信端末５０ａの記憶制御部１１４は、通信部７０が受信した強度情報を、一緒に受信した電話番号に対応付けて電話帳データベース９２に含まれるようメモリ８６に記憶させる（ステップＳ２２８）。図９において、レジスト管理サーバから第１通信端末までの間に付され、かつ、「状態回答」と記載された矢印がこれらの処理を示す。
【０１３５】
通信端末５０ａにおいて、強度情報が電話帳データベース９２に含まれると、ステップＳ２１８、ステップＳ２２０、およびステップＳ２２４の処理を経て、状態表示制御部１１６の順位特定部１３０は、強度情報を表示するか否かを判断する（ステップＳ２３０）。強度情報を表示するとき（ステップＳ２３０にてＹＥＳ）、順位特定部１３０は、電話帳データベース９２に登録された強度情報の順位を特定する（ステップＳ２３２）。順位が特定されると、形態特定部１３２は、強度情報の表示形態を選択する（ステップＳ２３
４）。表示形態が選択されると、形態特定部１３２は、自らが選択した形態に従い、強度情報を表示するように、表示部８２を制御する（ステップＳ２３６）。図１０は、表示部８２に表示された強度情報の一例を示す図である。図１０において、電波の強さを示す印（長さが異なる３本の線が並べられたもの）の下に記載されている数値は強度情報が示す強度をランクで示したものである。
【０１３６】
以上のようにして、本実施の形態に係る通信システムは、通信端末が測定した電波の強度（通信に用いられる電波）をサーバに送信し、他の通信端末がサーバからその強度を示す情報を取得できるようにする。各端末の通信状態を示す情報（本実施の形態では電波の強度を示す情報）がサーバに登録されているので、通話中の場合のように、通信状態が良好であるにも関わらずそのことを示す情報をこれまでは取得できなかった場合であっても、本実施の形態に係る通信システムの通信端末は、余分な通信をほとんど行うことなく通信相手の端末の通信状態を詳細に把握できる。通信状態を把握できるので、通話を開始する前にユーザは良好な通話状態を維持できるか否か知ることができる。そのことを占めことができるので、ユーザは無駄に通話を開始しなくてもよくなる。
【０１３７】
また、本実施の形態に係る通信システムは、レジストを要求する際、識別情報と状態情報とを同時に送信する。これにより、その後に着信などがあっても、通信状態を他の通信端末が知ることが可能になる。
【０１３８】
なお、本実施の形態の第１の変形例において、通信端末５０は、レジスト要求を行い、さらにレジスト通知を受信した後に、識別情報や強度情報を送信してもよい。
【０１３９】
また、本実施の形態の第２の変形例において、強度情報以外の状態情報が用いられてもよい。
【０１４０】
また、本実施の形態の第３の変形例において、識別情報と強度情報とを対応付けたデータベースは、識別情報と端末指定情報とを対応付けたベースに共通するものであってもよい。
【０１４１】
＜第２の実施の形態＞
以下、本発明の第２の実施の形態に係る通信システムについて説明する。
【０１４２】
図１１は、本実施の形態に係る通信端末５０の構成と通信制御部８８の機能とを示す図である。本実施の形態に係る通信制御部８８は、強度測定部１００を含まない。また、取得制御部１０２は、割合算出部１２６をさらに含む。割合算出部１２６は、通信部７０とアクセスポイント５２との通信の成功回数およびそれらの通信の失敗回数を計数し、かつ、それらの通信の成功回数と失敗回数との和に対する失敗回数の割合を算出する。本実施の形態においては、この割合を「エラー率」と称する。
【０１４３】
状態表示制御部１１６は、順位特定部１３０に代え、選択部１３４を含む。選択部１３４は、端末指定情報に対応付けられた状態情報（本実施の形態の場合、状態情報として、エラー率を示す割合情報を用いる。）の中から、識別情報に対応付けられた状態情報以上に良好な通信状態を示す情報を選択する。
【０１４４】
なお、その他のハードウェア構成については、前述の第１の実施の形態と同じである。それらについての機能も同じである。したがって、それらについての詳細は説明はここでは繰返さない。
【０１４５】
図１２を参照して、通信端末５０で実行されるプログラムは、通話の開始に関し、以下
のような制御を実行する。なお、図１２に示すフローチャートの中で、前述の図５に示した処理は同じステップ番号を付してある。それらの処理も同じである。したがって、それらについての詳細な説明はここでは繰返さない。
【０１４６】
ステップＳ３３０にて、割合算出部１２６は、通信部７０とアクセスポイント５２との通信結果に基づき、エラー率を算出する。エラー率を示す割合情報は、オーナー情報データベース９４の一部としてメモリ８６に記憶される。
【０１４７】
ステップＳ３３２にて、レジスト情報送信制御部１１０は、レジストを要求する旨の情報をアクセスポイント５２に送信するように、通信部７０を制御する。本実施の形態においては、この情報を送信することを「レジスト要求」と称する。その後、レジスト情報送信制御部１１０は、通信部７０がレジスト通知を受信するのを待受ける。本実施の形態における「レジスト通知」は、レジスト要求に応じることを示す情報である。
【０１４８】
ステップＳ３３４にて、レジスト情報送信制御部１１０は、オーナー情報データベース９４から、割合情報と識別情報とを読出す。第１の実施の形態と同様に、識別情報が具体的にどのようなものかということは、通話のために用いるプロトコルが何かということによって定まる。また、本実施の形態についても、識別情報は、ＩＰアドレスを含む数種類の情報の集合体である。割合情報と識別情報とが読出されると、レジスト情報送信制御部１１０は、それらをアクセスポイント５２に送信するように通信部７０を制御する。
【０１４９】
ステップＳ３３６にて、レジスト情報送信制御部１１０は、サーバ５４に登録された識別情報と割合情報との更新時期が到来したか否かを判断する。更新時期の判断基準は特に限定されるものではないが、本実施の形態においては、第１の実施の形態と同様の基準に基づいて、更新時期が到来したか否かを判断することとする。更新時期が到来したと判断した場合（ステップＳ３３６にてＹＥＳ）、処理はステップＳ３３０へと移される。もしそうでないと（ステップＳ３３６にてＮＯ）、処理はステップＳ２２０へと移される。
【０１５０】
ステップＳ３３８にて、照会制御部１１２は、サーバ５４に登録された割合情報を取得するか否かを判断する。その判断基準は特に限定されるものではないが、本実施の形態においては、第１の実施の形態と同様の判断基準に基づき、割合情報を取得するか否かを判断する。割合情報を取得すると判断した場合（ステップＳ３３８にてＹＥＳ）、処理はステップＳ２２６へと移される。もしそうでないと（ステップＳ３３８にてＮＯ）、処理はステップＳ３４２へと移される。
【０１５１】
ステップＳ３４０にて、通信部７０は、アクセスポイント５２から割合情報と端末識別情報（本実施の形態においては、端末識別情報として電話番号が通信される）とを受信する。記憶制御部１１４は、その割合情報を記憶するようにメモリ８６を制御する。その割合情報は、電話帳データベース９２の一部として、電話帳データベース９２が含む電話番号に対応付けて記憶される。割合情報は、一緒に送信された電話番号と同一の電話番号に対応付けられる。
【０１５２】
ステップＳ３４２にて、選択部１３４は、割合情報を表示するか否かを判断する。本実施の形態の場合、選択部１３４は、キー操作部７２が所定の指示を受付けたことに基づき、割合情報を表示すると判断する。割合情報を表示すると判断した場合（ステップＳ３４２にてＹＥＳ）、処理はステップＳ３４８へと移される。もしそうでないと（ステップＳ３４２にてＮＯ）、処理はステップＳ３４４へと移される。
【０１５３】
ステップＳ３４４にて、確立制御部１２２は、他の通信端末５０と通話のための通信を開始するか否かを判断する。通信を開始すると判断した場合（ステップＳ３４４にてＹＥ
Ｓ）、処理はステップＳ３４６へと移される。もしそうでないと（ステップＳ３４４にてＮＯ）、処理はステップＳ３３６へと移される。
【０１５４】
ステップＳ３４６にて、選択部１３４は、割合情報が示すエラー率が閾値以上か否かを判断する。閾値以上と判断した場合（ステップＳ３４６にてＹＥＳ）、処理はステップＳ２４２へと移される。もしそうでないと（ステップＳ３４６にてＮＯ）、処理はステップＳ２４６へと移される。
【０１５５】
ステップＳ３４８にて、選択部１３４は、表示の対象となる割合情報を選択する。本実施の形態の場合、選択部１３４は、割合情報が示すエラー率が閾値以上か否かに基づいて表示される割合情報を選択する。本実施の形態の場合、この閾値は、通信端末５０の設計者によって設定される。この閾値だけでなく、本実施の形態において用いられる閾値はいずれも通信端末５０の設計者によって設定される。
【０１５６】
図１３を参照して、アクセスポイント５２で実行されるプログラムは、通信端末５０からの情報の受信に関し、以下の制御を実行する。なお、図１３に示すフローチャートの中で、前述の図６に示した処理は同じステップ番号を付してある。それらの処理も同じである。したがって、それらについての詳細な説明はここでは繰返さない。
【０１５７】
ステップＳ３５０にて、送信制御部１５４は、無線通信部１４０が受信したレジストを要求する旨の情報をサーバ５４に送信するように、有線通信部１４２を制御する。
【０１５８】
ステップＳ３５２にて、送信制御部１５４は、有線通信部１４２が受信したレジスト通知を通信端末５０に送信するように、無線通信部１４０を制御する。
【０１５９】
ステップＳ３５４にて、記憶制御部１５２は、無線通信部１４０が受信した識別情報を記憶するように記憶部１４４を制御する。その識別情報は端末データベース１４８に含まれる。
【０１６０】
ステップＳ３５６にて、アクセスポイント５２の記憶制御部１５２は、無線通信部１４０が受信した割合情報を記憶するように記憶部１４４を制御する。この割合情報は、ステップＳ３５４にて受信した識別情報に対応付けられ、端末データベース１４８の一部として記憶される。
【０１６１】
ステップＳ３５８にて、送信制御部１５４は、端末データベース１４８に記憶された割合情報と識別情報とを送信するように有線通信部１４２を制御する。
【０１６２】
ステップＳ３６０にて、照会制御部１５６は、ステップＳ２５０にて無線通信部１４０が受信した情報が、サーバ５４に登録された割合情報の送信を要求するものか否かを判断する。割合情報の送信を要求するものと判断した場合（ステップＳ３６０にてＹＥＳ）、処理はステップＳ２７４へと移される。もしそうでないと（ステップＳ３６０にてＮＯ）、処理はステップＳ２７６へと移される。
【０１６３】
図１４を参照して、アクセスポイント５２で実行されるプログラムは、サーバ５４からの情報の受信に関し、以下のような制御を実行する。なお、図１４に示すフローチャートの中で、前述の図７に示した処理は同じステップ番号を付してある。それらの処理も同じである。したがって、それらについての詳細な説明はここでは繰返さない。
【０１６４】
ステップＳ３６４にて、回答制御部１５８は、ステップＳ２９０にて有線通信部１４２が受信した情報が割合情報と端末指定情報とを示すか否かを判断する。割合情報と端末指
定情報とを示すと判断した場合（ステップＳ３６４にてＹＥＳ）、処理はステップＳ３６６へと移される。もしそうでないと（ステップＳ３６４にてＮＯ）、処理はステップＳ３００へと移される。
【０１６５】
ステップＳ３６６にて、回答制御部１５８は、ステップＳ２７４にて記憶部１４４に記憶された情報が示す端末指定情報（本実施の形態の場合、電話番号を示す）の送信元に対し、ステップＳ２９０にて受信した割合情報とその端末指定情報とを送信するように無線通信部１４０を制御する。
【０１６６】
図１５を参照して、サーバ５４で実行されるプログラムは、情報の通信に関し、以下のような制御を実行する。なお、図１５に示すフローチャートの中で、前述の図８に示した処理は同じステップ番号を付してある。それらの処理も同じである。したがって、それらについての詳細な説明はここでは繰返さない。
【０１６７】
ステップＳ３７０にて、識別部１９０およびレジスト検知部１９２は、ステップＳ３１０にて通信部１７０が受信した情報がレジストを要求する旨の情報か否かを判断する。レジストを要求する旨の情報と判断した場合（ステップＳ３７０にてＹＥＳ）、処理はステップＳ３１３へと移される。もしそうでないと（ステップＳ３７０にてＮＯ）、処理はステップＳ３７４へと移される。
【０１６８】
ステップＳ３７２にて、通信部１７０は、識別情報と割合情報とを受信する。記憶制御部２０２は、それらの情報を対応付けて記憶するように記憶部１７２を制御する。それらの情報は、一時記憶データベース１８０に含まれる。また、端末データベース１８２には、その識別情報が、その識別情報を送信した通信端末５０の電話番号に対応付けられて含まれる。
【０１６９】
ステップＳ３７４にて、識別部１９０は、ステップＳ３１０にて受信した情報が通信端末５０とアクセスポイント５２との間の通信が遮断されたことを示すか否かを判断する。通信が遮断されたことを示すと判断した場合（ステップＳ３７４にてＹＥＳ）、処理はステップＳ３７６へと移される。もしそうでないと（ステップＳ３７４にてＮＯ）、処理はステップＳ３７８へと移される。
【０１７０】
ステップＳ３７６にて、削除制御部２００は、一時記憶データベース１８０に含まれた割合情報と識別情報とのうち、ステップＳ３１０にて通信部１７０が受信した情報（通信が遮断されたことを示す情報）が示す通信端末５０についての割合情報と識別情報とを削除するように記憶部１７２を制御する。また、削除制御部２００は、端末データベース１８２に含まれたその通信端末５０についての識別情報も削除する。
【０１７１】
ステップＳ３７８にて、識別部１９０および照会検知部１９４は、ステップＳ３１０にて通信部１７０が受信した情報が、割合情報を要求する旨を示すか否かを判断する。割合情報の要求を示すと判断した場合（ステップＳ３７８にてＹＥＳ）、処理はステップＳ３８０へと移される。もしそうでないと（ステップＳ３７８にてＮＯ）、処理はステップＳ３２４へと移される。
【０１７２】
ステップＳ３８０にて、回答制御部１９６は、端末データベース１８２に含まれた識別情報のうち、ステップＳ３１０にて通信部１７０が受信した情報（割合情報の送信を要求することを示す情報）が示す端末指定情報に対応付けられた識別情報を読み出す。その識別情報が読み出されると、回答制御部１９６は、一時記憶データベース１８０に含まれた割合情報のうち、端末データベース１８２から読み出された識別情報に対応付けられた割合情報を読み出す。その割合情報が読み出されると、回答制御部１９６は、ステップＳ３
１０にて通信部１７０が受信した情報が示す端末指定情報とその割合情報とをアクセスポイント５２に送信するように通信部１７０を制御する。
【０１７３】
図１６は、本実施の形態に係る通信システムにおける情報の流れを示す図である。図１６を参照しつつ、以上のような構造およびフローチャートに基づく、通信システムの動作について説明する。
【０１７４】
通信端末５０ｂの割合算出部１２６は、通信部７０とアクセスポイント５２ａとの間の通信におけるエラー率を算出する（ステップＳ３３０）。エラー率が算出されると、レジスト情報送信制御部１１０は、レジスト要求を示す情報を送信するように通信部７０を制御する（ステップＳ３３２）。
【０１７５】
アクセスポイント５２ｂの無線通信部１４０は、その情報を受信する（ステップＳ２５０）。その情報が受信されると、ステップＳ２５２の処理を経て（認証は既に完了していることとする）、記憶制御部１５２は、その情報がレジスト要求を示すか否かを判断する（ステップＳ２５６）。その情報がレジストの要求を示すとき（ステップＳ２５６にてＹＥＳ）、送信制御部１５４は、レジスト要求を示す情報を送信するように有線通信部１４２を制御する（ステップＳ３５０）。
【０１７６】
図１６において、第２通信端末から第２ＡＰまでの間に付され、かつ、「接続要求」と記載された矢印と、第２通信端末と第２ＡＰとの間の「ＷＡＮ認証」との記載と、第２ＡＰから第２通信端末までの間に付され、かつ、「接続確認」と記載された矢印と、第２通信端末からレジスト管理サーバまでの間に付され、かつ、「レジスト要求」と記載された矢印とは、ここまでの処理を示す。
【０１７７】
サーバ５４の通信部１７０がその情報を受信すると（ステップＳ３１０）、識別部１９０およびレジスト検知部１９２は、通信部１７０が受信した情報がレジスト要求を示すか否かを判断する（ステップＳ３７０）。レジスト要求を示すとき（ステップＳ３７０にてＹＥＳ）、レジスト検知部１９２は、アクセスポイント５２に対してレジスト通知を送信するように通信部１７０を制御する（ステップＳ３１３）。
【０１７８】
アクセスポイント５２ｂの送信制御部１５４は、有線通信部１４２が受信したレジスト通知を通信端末５０に送信するように、無線通信部１４０を制御する（ステップＳ３５２）。
【０１７９】
図１６において、レジスト管理サーバから第２通信端末までの間に付され、かつ、「レジスト通知」と記載された矢印は、ここまでの処理を示す。
【０１８０】
通信端末５０ｂの通信部７０がレジスト通知を受信すると、レジスト情報送信制御部１１０は、識別情報と割合情報とを送信するように通信部７０を制御する（ステップＳ３３４）。
【０１８１】
識別情報と割合情報とが送信されると、アクセスポイント５２ｂの記憶制御部１５２は、無線通信部１４０が受信した識別情報を記憶するように記憶部１４４を制御する（ステップＳ３５４）。識別情報が記憶されると、記憶制御部１５２は、無線通信部１４０が受信した割合情報を記憶するように記憶部１４４を制御する（ステップＳ３５６）。割合情報が記憶されると、アクセスポイント５２ｂの送信制御部１５４は、端末データベース１４８に記憶された割合情報と識別情報とをサーバ５４に送信するように有線通信部１４２を制御する（ステップＳ３５８）。
【０１８２】
サーバ５４の通信部１７０は、割合情報と識別情報とを受信する。それらの情報が受信されると、サーバ５４の記憶制御部２０２は、それらの情報を記憶するように記憶部１７２を制御する（ステップＳ３７２）。
【０１８３】
図１６において、第２通信端末からレジスト管理サーバまでの間に付され、かつ、「通信状態通知」と記載された矢印は、ここまでの処理を示す。また、その矢印の先端付近において、「第２通信端末通信状態記憶」と記載された矢印は、サーバ５４に割合情報などが記憶されたことを示す。
【０１８４】
また、図１６において、第１通信端末から第１ＡＰまでの間に付され、かつ、「接続要求」と記載された矢印と、第１通信端末と第１ＡＰとの間の「ＷＡＮ認証」との記載と、第１ＡＰから第１通信端末までの間に付され、かつ、「接続確認」と記載された矢印と、第１通信端末からレジスト管理サーバまでの間に付され、かつ、「レジスト要求」と記載された矢印と、レジスト管理サーバから第１通信端末までの間に付され、かつ、「レジスト通知」と記載された矢印と、第１通信端末からレジスト管理サーバまでの間に付され、かつ、「通信状態通知」と記載された矢印は、ここまでの間に通信端末５０ａとアクセスポイント５２ａとサーバ５４との間で行われた処理を示す。また、その「通信状態通知」と記載された矢印の先端付近において、「第１通信端末通信状態記憶」と記載された矢印は、サーバ５４に割合情報などが記憶されたことを示す。
【０１８５】
その間、通信端末５０ａにおいて、レジスト情報送信制御部１１０は、更新時期が到来したか否かを判断する（ステップＳ３３６）。この場合、更新時期が到来していないとすると（ステップＳ３３６にてＮＯ）、ステップＳ２２０の処理を経て、照会制御部１１２は、サーバ５４に登録された割合情報などを取得するか否かを判断する（ステップＳ３３８）。割合情報を取得するとき（ステップＳ３３８にてＹＥＳ）、照会制御部１１２は、電話帳データベース９２に含まれた電話番号をアクセスポイント５２ａに送信するように通信部７０を制御する（ステップＳ２２６）。
【０１８６】
アクセスポイント５２ａの無線通信部１４０は、それらの電話番号を受信する（ステップＳ２５０）。情報が受信されると、ステップＳ２５２、ステップＳ２５６、およびステップＳ２６６の処理を経て、照会制御部１５６は、ステップＳ２５０にて無線通信部１４０が受信した情報が割合情報を要求するものか否かを判断する（ステップＳ３６０）。割合情報を要求するもののとき（ステップＳ３６０にてＹＥＳ）、照会制御部１５６は、無線通信部１４０がステップＳ２５０にて受信した電話番号を送信するように有線通信部１４２を制御する（ステップＳ２７４）。図１６において、第１通信端末からレジスト管理サーバまでの間に付され、かつ、「第２通信端末状態取得要求」と記載された矢印は、ここまでの処理を示す。
【０１８７】
サーバ５４の通信部１７０は、その電話番号を受信する（ステップＳ３１０）。電話番号が受信されると、ステップＳ３７０およびステップＳ３７４の処理を経て、識別部１９０および照会検知部１９４は、通信部１７０が受信した情報が割合情報の送信を要求するものであるか否かを判断する（ステップＳ３７８）。この場合、通信部１７０が受信した情報は、割合情報を要求するためのものなので（ステップＳ３７８にてＹＥＳ）、回答制御部１９６は、割合情報を送信するように通信部１７０を制御する（ステップＳ３８０）。
【０１８８】
アクセスポイント５２ａの有線通信部１４２は、その割合情報を受信する（ステップＳ２９０）。割合情報が受信されると、アクセスポイント５２ａの回答制御部１５８は、有線通信部１４２が受信した情報が割合情報などであるか否かを判断する（ステップＳ３６４）。この場合、受信した情報は割合情報なので（ステップＳ３６４にてＹＥＳ）、回答
制御部１５８は、その割合情報などを送信するように無線通信部１４０を制御する（ステップＳ３６６）。
【０１８９】
通信端末５０ａの通信部７０は、その割合情報などを受信する。その割合情報などが受信されると、通信端末５０ａの記憶制御部１１４は、通信部７０が受信した割合情報を記憶するように、メモリ８６を制御する（ステップＳ３４０）。
【０１９０】
図１６に示す「第２通信端末通信状態読出し」と記載された矢印と、レジスト管理サーバから第１通信端末までの、「状態回答」と記載された矢印と、「第２通信端末通信状態記憶」と記載された矢印とは、ここまでの処理を示す。
【０１９１】
割合情報がメモリ８６に記憶されると、ステップＳ３３６、ステップＳ２２０、および、ステップＳ３３８の処理を経て、選択部１３４は、割合情報を表示するか否かを判断する（ステップＳ３４２）。割合情報を表示するとき（ステップＳ３４２にてＹＥＳ）、選択部１３４は、表示の対象とする割合情報を選択する（ステップＳ３４８）。割合情報が選択されると、形態特定部１３２は、表示される割合情報の表示形態を選択する（ステップＳ２３４）。その後、表示部８２は、割合情報を表示する（ステップＳ２３６）。図１７は、表示部８２に表示された割合情報の一例を示す図である。図１７において、「Ｅｒｒｏｒ」という文字列の下に記載されている数値は、割合情報が示すエラー率をランクで示したものである。なお、本実施の形態においては、エラー率の順位が特定されないため、表示の順序は必ずしもエラー率の順序に従わない。
【０１９２】
以上のようにして、本実施の形態に係る通信システムは、エラー率をサーバ５４に登録し、他の通信端末５０がそれを取得できるようにする。これにより、ある通信端末５０が通話などによって通信できない状態であっても、通信状態が良いか否かを的確に知ることができる。ある通信端末が、通話中その他の理由により、良好に通信できるにも関わらずその旨を返信できない場合であっても、サーバに通信状況を示す情報が記憶されているので、他の通信端末は、別の通信端末の通信状況が良好か否かを容易に知ることができる。そのために何度も同一の情報を繰返して送信する必要もない。その結果、余分な通信をほとんど行うことなく通信相手の端末の通信状態を詳細に把握できる通信システムを提供することができる。通信状態を把握できるので、通話を開始する前にユーザは良好な通話状態を維持できるか否か知ることができる。そのことを占めことができるので、ユーザは無駄に通話を開始しなくてもよくなる。また、通話を開始しようとするその瞬間に、ユーザは通話を開始できる通信端末を知ることができる。
【０１９３】
なお、本実施の形態の第１の変形例において、通信端末５０は、レジスト要求として、識別情報や割合情報を送信してもよい。
【０１９４】
また、本実施の形態の第２の変形例において、割合情報以外の状態情報が用いられてもよい。
【０１９５】
また、本実施の形態の第３の変形例において、識別情報と割合情報とを対応付けたデータベースは、識別情報と端末指定情報とを対応付けたベースに共通するものであってもよい。
【０１９６】
＜第３の実施の形態＞
以下、本発明の第３の実施の形態に係る通信システムについて説明する。
【０１９７】
図１８は、本実施の形態に係る通信端末の構成と通信制御部８８の機能とを示す図である。本実施の形態に係る通信制御部８８は、強度測定部１００を含まない。また、取得制
御部１０２は、時刻記憶制御部４０２を含む。時刻記憶制御部４０２は、端末指定情報（接続が確立された時刻を取得しようとする通信端末５０の電話番号）が送信されるまでに通信部７０が受信した時刻（アクセスポイント５２との接続を確立した時刻）を記憶するようにメモリ８６を制御する。
【０１９８】
また、取得制御部１０２は、第１の実施の形態に係る状態表示制御部１１６に代え、それとは異なる状態表示制御部４００を含む。この状態表示制御部４００は、電話帳データベース９２に含まれた時刻に応じた形態の情報を電話番号とともに表示するように表示部８２を制御する。
【０１９９】
状態表示制御部４００は、時間差算出部４１０と、形態選択部４１２とを含む。時間差算出部４１０は、電話帳データベース９２に含まれた時刻と状態データベース９０に含まれた時刻との差を算出する。形態選択部４１２は、時間差算出部４１０が算出した時間差に基づき、表示部８２に表示させる時刻を選択し、かつ、表示される時刻の表示形態を選択する。また、形態選択部４１２は、その形態に応じて情報を表示するように、表示部８２を制御する。
【０２００】
図１９は、本実施の形態に係るアクセスポイント５２の構成と通信制御部１４６の機能とを示す図である。
【０２０１】
本実施の形態に係るアクセスポイント５２は、時刻検出部１４９をさらに含む。時刻検出部１４９は、リアルタイムクロックにより実現され、時刻を検出時刻を検出し、通信制御部１４６に出力する。
【０２０２】
通信制御部１４６は、時刻連絡制御部１６４をさらに含む。時刻連絡制御部１６４は、通信端末との接続が確立されると、接続が確立された時刻を送信するように無線通信部１４０を制御する。これにより、誤差の関係上、通信端末５０の時刻検出部１０４とアクセスポイント５２の時刻検出部１４９との間で検出された時刻が異なっていても、その誤差が原因で表示結果にばらつきが生じることを防止できる。
【０２０３】
なお、その他のハードウェア構成については、前述の第１の実施の形態と同様である。それらについての機能も同じである。したがって、それらについての詳細な説明はここでは繰返さない。
【０２０４】
図２０を参照して、通信端末５０で実行されるプログラムは、通話の開始に関し、以下のような制御を実行する。なお、図２０に示されるフローチャートのうち、前述した図５と同一の処理については、同じステップ番号を付してある。その内容も同じである。したがって、ここではその詳細な説明は繰返さない。
【０２０５】
ステップＳ４１０にて、レジスト情報送信制御部１１０は、オーナー情報データベース９４からそこに含まれた通信端末５０の識別情報を読出す。識別情報が読出されると、レジスト情報送信制御部１１０は、その識別情報をアクセスポイント５２に送信するように、通信部７０を制御する。本実施の形態において、この識別情報を送信することはサーバ５４に対しレジストを要求することを意味する。このため、この送信処理を「レジスト要求」と称する。
【０２０６】
ステップＳ４１２にて、通信部７０は、接続が確立された時刻を示す時刻情報（時刻情報についてのより具体的な説明は後に述べる。）とレジスト通知とを待受ける。レジスト通知の具体的な内容は第１の実施の形態と同様である。時刻情報などを受信すると、時刻記憶制御部４０２は、その時刻情報を記憶するようにメモリ８６を制御する。メモリ８６
は、状態データベース９０の一部としてその情報を記憶する。
【０２０７】
ステップＳ４１４にて、レジスト情報送信制御部１１０は、サーバ５４に登録された時刻情報と識別情報との更新時期が到来したか否かを判断する。更新時期が到来したと判断した場合（ステップＳ４１４にてＹＥＳ）、処理はステップＳ４１０へと移される。もしそうでないと（ステップＳ４１４にてＮＯ）、処理はステップＳ４１６へと移される。なお、時刻情報については後述する。
【０２０８】
ステップＳ４１６にて、遮断制御部１２４は、通信部７０とアクセスポイント５２との間の通信を遮断するか否かを判断する。通信を遮断すると判断した場合（ステップＳ４１６にてＹＥＳ）、処理はステップＳ２２２へと移される。もしそうでないと（ステップＳ４１６にてＮＯ）、処理はステップＳ４１８へと移される。
【０２０９】
ステップＳ４１８にて、照会制御部１１２は、時刻情報を取得するか否かを判断する。時刻情報を取得すると判断した場合（ステップＳ４１８にてＹＥＳ）、処理はステップＳ２２６へと移される。もしそうでないと（ステップＳ４１８にてＮＯ）、処理はステップＳ４２２へと移される。
【０２１０】
ステップＳ４２０にて、通信部７０はアクセスポイント５２から時刻情報と電話番号とを受信する。記憶制御部１１４は、通信部７０が受信した時刻情報をその電話番号に対応付けて記憶するようにメモリ８６を制御する。受信した時刻情報は電話帳データベース９２に含まれる。なお、通信部７０が受信した電話番号は、端末指定情報としてステップＳ２２６にて通信部７０が送信したものである。このため、この電話番号は、電話帳データベース９２の一部として既に記憶されている。既に記憶されているので、電話番号自体の記憶は行われない。
【０２１１】
ステップＳ４２２にて、時間差算出部４１０は、表示部８２において時刻情報を表示するか否かを判断する。時刻情報を表示するか否かの判断基準は特に限定されないが、本実施の形態の場合において、キー操作部７２においてユーザが所定の操作を行なった場合、時間差算出部４１０は、時刻情報を表示すると判断する。時刻情報を表示すると判断した場合（ステップ４２２にてＹＥＳ）、処理はステップＳ４２４へと移される。もしそうでないと（ステップＳ４２２にてＮＯ）、処理はステップＳ４３０へと移される。
【０２１２】
ステップＳ４２４にて、時間差算出部４１０は、電話帳データベース９２に含まれた時刻情報が示す時刻（この情報は、電話帳データベース９２に含まれた電話番号が示す通信端末５０が通信を確立した時刻を示すので、電話帳データベース９２に含まれた電話番号の数だけ記憶されている。）と状態データベース９０に含まれた時刻情報が示す時刻（この情報は、時間差算出部４１０自身が含まれる通信端末５０とアクセスポイント５２との通信が確立された時刻を示すので、１つしか記憶されていない。）との差を算出する。その差が算出されると、形態選択部４１２は、時間差算出部４１０が算出した差に基づき、電話帳データベース９２に含まれた時刻情報のうち、表示部８２に表示させる情報を選択する。
【０２１３】
ステップＳ４２６にて、形態選択部４１２は、ステップＳ４２４にて自らが選択した時刻情報の表示形態を選択する。本実施の形態の場合、形態選択部４１２は、時刻情報が示す時刻とその表示時刻（現実には、このステップが実施される時刻をその表示時刻とみなす）に応じて、表示形態を選択する。形態選択部４１２によって選択される表示形態の候補（本実施の形態についてより具体的に説明すると、時刻情報の表示色を示す値）は、メモリ８６に記憶されている。
【０２１４】
ステップＳ４２８にて、形態選択部４１２は、ステップＳ４２６にて選択した表示形態で時刻情報を表示するように表示部８２を制御する。併せて、形態選択部４１２は、その時刻情報とともに、その時刻情報が接続の確立時刻を示す通信端末５０の電話番号やその通信端末５０のユーザの氏名などを表示部８２に表示させる。
【０２１５】
ステップＳ４３０にて、確立制御部１２２は、通話のための通信を開始するか否かを判断する。通話のための通信を開始すると判断した場合（ステップＳ４３０にてＹＥＳ）、処理はステップＳ４３２へと移される。もしそうでないと（ステップＳ４３０にてＮＯ）、処理はステップＳ４１４へと移される。
【０２１６】
ステップＳ４３２にて、状態判断部１１８は、通信が確立された後の経過時間が閾値以上か否かを判断する。閾値以上と判断した場合（ステップＳ４３２にてＹＥＳ）、処理はステップＳ２４２へと移される。もしそうでないと（ステップＳ４３２にてＮＯ）、処理はステップＳ２４６へと移される。
【０２１７】
図２１を参照して、アクセスポイント５２で実行されるプログラムは、通信端末５０からの情報の受信に関し、以下のような制御を実行する。なお、図２１に示されるフローチャートのうち、前述した図６と同一の処理については、同じステップ番号を付してある。その内容も同じである。したがって、ここではその詳細な説明は繰返さない。
【０２１８】
ステップＳ４４０にて、確立制御部１５０は、無線通信部１４０が受信した情報がアクセスポイント５２に対し認証を要求するためのものか否かを判断する。認証を要求するためのものと判断した場合（ステップＳ４４０にてＹＥＳ）、処理はステップＳ２５４へと移される。もしそうでないと（ステップＳ４４０にてＮＯ）、処理はステップＳ４４２へと移される。
【０２１９】
ステップＳ４４２にて、記憶制御部１５２は、通信部１７０が受信した情報がレジスト要求を示すものか否かを判断する。レジスト要求を示すものと判断した場合（ステップＳ４４２にてＹＥＳ）、処理はステップＳ２５８へと移される。もしそうでないと（ステップＳ４４２にてＮＯ）、処理はステップＳ４４８へと移される。
【０２２０】
ステップＳ４４４にて、時刻連絡制御部１６４は、通信が確立された時刻を示す情報をレジスト要求を示す情報の送信元に送信するように無線通信部１４０を制御する。この通信が確立された時刻を示す情報は、本実施の形態における時刻情報である。この情報が送信元の通信端末５０に送信された場合、この時刻情報はオーナー情報データベース９４に含まれる時刻情報となる。この情報がいったんサーバ５４に登録され、他の通信端末５０に送信された場合、この時刻情報は電話帳データベース９２に含まれる時刻情報となる。記憶制御部１５２は、その時刻情報を記憶するように記憶部１４４を制御する。記憶された時刻情報は端末データベース１４８に含まれる。この時刻情報は、ステップＳ２５８にて記憶部１４４に記憶された識別情報に対応付けられる。
【０２２１】
ステップＳ４４６にて、送信制御部１５４は、ステップＳ２５８およびステップＳ４４４にて記憶部１４４に記憶された識別情報と時刻情報とをサーバ５４に送信するように有線通信部１４２を制御する。
【０２２２】
ステップＳ４４８にて、遮断制御部１６０は、ステップＳ２５０にて情報を送信した通信端末５０との通信を遮断するか否かを判断する。その通信を遮断するか否かは、ステップＳ２５０にて受信した情報が通信の遮断を要求するものか否かに基づき判断される。通信を遮断すると判断した場合（ステップＳ４４８にてＹＥＳ）、処理はステップＳ２６８へと移される。もしそうでないと（ステップＳ４４８にてＮＯ）、処理はステップＳ４５
０へと移される。
【０２２３】
ステップＳ４５０にて、照会制御部１５６は、ステップＳ２５０にて受信した情報が時刻情報を要求するものか否かを判断する。その情報が時刻情報を要求するものか否かの判断基準は特に限定されないが、本実施の形態においては、ステップＳ２５０にて受信した情報がその旨を示し、かつ、端末指定情報を含むとき、その情報が時刻情報を要求するものと判断する。時刻情報を要求するものと判断した場合（ステップＳ４５０にてＹＥＳ）、処理はステップＳ２７４へと移される。もしそうでないと（ステップＳ４５０にてＮＯ）、処理はステップＳ２７６へと移される。
【０２２４】
図２２を参照して、アクセスポイント５２で実行されるプログラムは、サーバ５４からの情報の受信に関し、以下のような制御を実行する。なお、図２２に示されるフローチャートのうち、前述した図７と同一の処理については、同じステップ番号を付してある。その内容も同じである。したがって、ここではその詳細な説明は繰返さない。
【０２２５】
ステップＳ４６０にて、送信制御部１５４は、ステップＳ２９０にて有線通信部１４２が受信した情報がレジスト通知を示すか否かを判断する。レジスト通知を示すと判断した場合（ステップＳ４６０にてＹＥＳ）、処理はステップＳ２９４へと移される。もしそうでないと（ステップＳ４６０にてＮＯ）、処理はステップＳ４６２へと移される。
【０２２６】
ステップＳ４６２にて、回答制御部１５８は、ステップＳ２９０にて有線通信部１４２が受信した情報が時刻情報と端末指定情報とを示すか否かを判断する。時刻情報と端末指定情報とを示すと判断した場合（ステップＳ４６２にてＹＥＳ）、処理はステップＳ４６４へと移される。もしそうでないと（ステップＳ４６２にてＮＯ）、処理はステップＳ３００へと移される。
【０２２７】
ステップＳ４６４にて、回答制御部１５８は、ステップＳ２７４にて記憶部１４４に記憶された情報が示す端末指定情報（本実施の形態の場合、電話番号を示す）の送信元に対し、ステップＳ２９０にて受信した時刻情報とその端末指定情報とを送信するように無線通信部１４０を制御する。
【０２２８】
図２３を参照して、サーバ５４で実行されるプログラムは、情報の通信に関し、以下のような制御を実行する。なお、図２３に示されるフローチャートのうち、前述した図８と同一の処理については、同じステップ番号を付してある。その内容も同じである。したがって、ここではその詳細な説明は繰返さない。
【０２２９】
ステップＳ４７０にて、識別部１９０およびレジスト検知部１９２は、ステップＳ３１０にて通信部１７０が受信した情報が、レジストを要求する旨の情報か否かを判断する。レジストを要求する旨の情報と判断した場合（ステップＳ４７０にてＹＥＳ）、処理はステップＳ３１３へと移される。もしそうでないと（ステップＳ４７０にてＮＯ）、処理はステップＳ４７４へと移される。
【０２３０】
ステップＳ４７２にて、記憶制御部２０２は、ステップＳ３１０にて通信部１７０が受信した識別情報と時刻情報とを対応付けて記憶するように記憶部１７２を制御する。これらの情報は一時記憶データベース１８０に含まれる。また、端末データベース１８２には、その識別情報が、その識別情報を送信した通信端末５０の電話番号に対応付けられて含まれる。
【０２３１】
ステップＳ４７４にて、識別部１９０は、ステップＳ３１０にて通信部１７０が受信した情報が、通信が遮断されたことを示すか否かを判断する。通信が遮断されたことを示す
と判断した場合（ステップＳ４７４にてＹＥＳ）、処理はステップＳ４７６へと移される。もしそうでないと（ステップＳ４７４にてＮＯ）、処理はステップＳ４７８へと移される。
【０２３２】
ステップＳ４７６にて、削除制御部２００は、一時記憶データベース１８０に含まれた時刻情報と識別情報とのうち、ステップＳ３１０にて通信部１７０が受信した情報（通信が遮断されたことを示す情報）が示す通信端末５０についての時刻情報と識別情報とを削除するように記憶部１７２を制御する。また、削除制御部２００は、端末データベース１８２に含まれたその通信端末５０についての識別情報も削除する。
【０２３３】
ステップＳ４７８にて、識別部１９０および照会検知部１９４は、ステップＳ３１０にて通信部１７０が受信した情報が、時刻情報の送信を要求するものか否かを判断する。強度情報の送信を要求するものと判断した場合（ステップＳ４７８にてＹＥＳ）、処理はステップＳ４８０へと移される。もしそうでないと（ステップＳ４７８にてＮＯ）、処理はステップＳ３２４へと移される。
【０２３４】
ステップＳ４８０にて、回答制御部１９６は、端末データベース１８２に含まれた識別情報のうち、ステップＳ３１０にて通信部１７０が受信した情報（時刻情報の送信を要求することを示す情報）が示す端末指定情報に対応付けられた識別情報を読み出す。その識別情報が読み出されると、回答制御部１９６は、一時記憶データベース１８０に含まれた時刻情報のうち、端末データベース１８２から読み出された識別情報に対応付けられた時刻情報を読み出す。その時刻情報が読み出されると、回答制御部１９６は、ステップＳ３１０にて通信部１７０が受信した情報が示す端末指定情報とその時刻情報とをアクセスポイント５２に送信するように通信部１７０を制御する。
【０２３５】
以上のような構造およびフローチャートに基づく、通信システムの動作について説明する。
【０２３６】
ステップＳ２１０の処理を経て、通信端末５０ｂのレジスト情報送信制御部１１０は、オーナー情報データベース９４からそこに含まれた識別情報を読出す。識別情報が読出されると、レジスト情報送信制御部１１０は、その識別情報をアクセスポイント５２ｂに送信するように、通信部７０を制御する（ステップＳ４１０）。
【０２３７】
アクセスポイント５２ｂの無線通信部１４０は、その識別情報を受信した後（ステップＳ２５０）、確立制御部１５０は、無線通信部１４０が受信した情報がアクセスポイント５２に対し認証を要求するためのものか否かを判断する（ステップＳ４４０）。認証を要求するための情報ではないとき（ステップＳ４４０にてＮＯ）、記憶制御部１５２は、通信部１７０が受信した情報がレジスト要求を示すものか否かを判断する（ステップＳ４４２）。レジスト要求を示すものとすると（ステップＳ４４２にてＹＥＳ）、ステップＳ２５８の処理を経て、時刻連絡制御部１６４は、時刻情報をレジスト要求を示す情報の送信元に送信するように無線通信部１４０を制御する（ステップＳ４４４）。時刻情報が送信されると、送信制御部１５４は、識別情報と時刻情報とをサーバ５４に送信するように有線通信部１４２を制御する（ステップＳ４４６）。
【０２３８】
サーバ５４の通信部１７０はこれらの情報を受信する（ステップＳ３１０）。その後、識別部１９０およびレジスト検知部１９２は、ステップＳ３１０にて通信部１７０が受信した情報が、レジストを要求する旨の情報か否かを判断する（ステップＳ４７０）。レジストを要求する旨の情報であるとき（ステップＳ４７０にてＹＥＳ）、レジスト検知部１９２は、アクセスポイント５２に対してレジスト通知を送信するように通信部１７０を制御する（ステップＳ３１３）。
【０２３９】
アクセスポイント５２ｂの有線通信部１４２は、サーバ５４からの情報を待受ける（ステップＳ２９０）。情報が受信されると、送信制御部１５４は、ステップＳ２９０にて有線通信部１４２が受信した情報がレジスト通知を示すか否かを判断する（ステップＳ４６０）。レジスト通知を示すとき（ステップＳ４６０にてＹＥＳ）、送信制御部１５４は、レジスト通知を送信するように無線通信部１４０を制御する（ステップＳ２９４）。
【０２４０】
通信端末５０ｂの通信部７０はレジスト通知を待受ける。時刻情報は既に受信している。その後、時刻記憶制御部４０２は、その時刻情報を記憶するようにメモリ８６を制御する（ステップＳ４１２）。
【０２４１】
時刻情報が記憶されると、レジスト情報送信制御部１１０は、サーバ５４に登録された時刻情報と識別情報との更新時期が到来したか否かを判断する（ステップＳ４１４）。更新時期が到来していないとき（ステップＳ４１４にてＮＯ）、遮断制御部１２４は、通信部７０とアクセスポイント５２との間の通信を遮断するか否かを判断する（ステップＳ４１６）。通信を遮断しないとき（ステップＳ４１６にてＮＯ）、照会制御部１１２は、時刻情報を取得するか否かを判断する（ステップＳ４１８）。時刻情報を取得しないとき（ステップＳ４１８にてＮＯ）、時間差算出部４１０は、表示部８２において時刻情報を表示するか否かを判断する（ステップＳ４２２）。時刻情報を表示しないとき（ステップＳ４２２にてＮＯ）、確立制御部１２２は、通話のための通信を開始するか否かを判断する（ステップＳ４３０）。通話のための通信を開始しないとき（ステップＳ４３０にてＮＯ）、ステップＳ４１４以降の処理が繰返される。
【０２４２】
その間、通信端末５０ａの照会制御部１１２は、時刻情報を取得するか否かを判断する（ステップＳ４１８）。時刻情報を取得するとき（ステップＳ４１８にてＹＥＳ）、照会制御部１１２は、電話帳データベース９２に含まれた電話番号を送信するように通信部７０を制御する（ステップＳ２２６）。
【０２４３】
アクセスポイント５２ａの無線通信部１４０は、その電話番号を受信する（ステップＳ２５０）。電話番号が受信されると、確立制御部１５０は、無線通信部１４０が受信した情報がアクセスポイント５２に対し認証を要求するためのものか否かを判断する（ステップＳ４４０）。認証を要求するためのものでないとき（ステップＳ４４０にてＮＯ）、記憶制御部１５２は、通信部１７０が受信した情報がレジスト要求を示すものか否かを判断する（ステップＳ４４２）。レジスト要求を示すものでないとき（ステップＳ４４２にてＮＯ）、アクセスポイント５２ａの遮断制御部１６０は、通信端末５０ａとの通信を遮断するか否かを判断する（ステップＳ４４８）。この場合、通信は遮断されないので（ステップＳ４４８にてＮＯ）、アクセスポイント５２ａの照会制御部１５６は、ステップＳ２５０にて受信した情報が時刻情報を要求するためのものか否かを判断する（ステップＳ４５０）。この場合、その情報は時刻情報を要求するためのものなので（ステップＳ４５０にてＹＥＳ）、照会制御部１５６は、サーバ５４に電話番号を送信するように有線通信部１４２を制御する（ステップＳ２７４）。
【０２４４】
サーバ５４の通信部１７０は、その電話番号を受信する（ステップＳ３１０）。これにより、通信端末５０ｂの電話番号がアクセスポイント５２ａからサーバ５４に送信されることとなる。電話番号が受信されると、識別部１９０およびレジスト検知部１９２は、ステップＳ３１０にて通信部１７０が受信した情報が、レジストを要求する旨の情報か否かを判断する（ステップＳ４７０）。レジストを要求する旨の情報ではないとき（ステップＳ４７０にてＮＯ）、識別部１９０は、ステップＳ３１０にて通信部１７０が受信した情報が、通信が遮断されたことを示すか否かを判断する（ステップＳ４７４）。通信が遮断されたことを示さないとき（ステップＳ４７４にてＮＯ）、識別部１９０および照会検知
部１９４は、ステップＳ３１０にて通信部１７０が受信した情報が、時刻情報の送信を要求するものか否かを判断する（ステップＳ４７８）。時刻情報の送信を要求するものであるとき（ステップＳ４７８にてＹＥＳ）、回答制御部１９６は、ステップＳ３１０にて通信部１７０が受信した情報が示す端末指定情報と時刻情報とをアクセスポイント５２に送信するように通信部１７０を制御する（ステップＳ４８０）。
【０２４５】
アクセスポイント５２ａの有線通信部１４２は、その情報を待受ける（ステップＳ２９０）。情報が受信されると、送信制御部１５４は、ステップＳ２９０にて有線通信部１４２が受信した情報がレジスト通知を示すか否かを判断する（ステップと４６０）。レジスト通知を示さないとき（ステップＳ４６０にてＮＯ）、回答制御部１５８は、ステップＳ２９０にて有線通信部１４２が受信した情報が時刻情報と端末指定情報とを示すか否かを判断する。時刻情報と端末指定情報とを示すとき（ステップＳ４６２にてＹＥＳ）、回答制御部１５８は、ステップＳ２７４にて記憶部１４４に記憶された情報が示す端末指定情報の送信元に対し、ステップＳ２９０にて受信した時刻情報とその端末指定情報とを送信するように無線通信部１４０を制御する（ステップＳ４６４）。
【０２４６】
通信端末５０ａの通信部７０は、アクセスポイント５２ａから時刻情報と電話番号とを受信する。記憶制御部１１４は、通信部７０が受信した時刻情報をその電話番号に対応付けて記憶するようにメモリ８６を制御する（ステップＳ４２０）。
【０２４７】
その後、ステップＳ４１４、ステップＳ４１６、およびステップＳ４１８の処理を経て、通信端末５０ａの時間差算出部４１０は、表示部８２において時刻情報を表示するか否かを判断する（ステップＳ４２２）。時刻情報を表示するとき（ステップ４２２にてＹＥＳ）、時間差算出部４１０は、電話帳データベース９２に含まれた時刻情報が示す時刻と状態データベース９０に含まれた時刻情報が示す時刻との差を算出する。その差が算出されると、形態選択部４１２は、時間差算出部４１０が算出した差に基づき、電話帳データベース９２に含まれた時刻情報のうち、表示部８２に表示させる情報を選択する（ステップＳ４２４）。情報が選択されると、形態選択部４１２は、ステップＳ４２４にて自らが選択した時刻情報の表示形態を選択する（ステップＳ４２６）。表示形態が選択されると、形態選択部４１２は、ステップＳ４２６にて選択した表示形態で時刻情報を表示するように表示部８２を制御する。併せて、形態選択部４１２は、その時刻情報とともに、その時刻情報が接続の確立時刻を示す通信端末５０の電話番号やその通信端末５０のユーザの氏名などを表示部８２に表示させる（ステップＳ４２８）。図２４は、表示部８２に表示された情報の一例を示す図である。図２４において、接続確立後の経過時間を示す印（丸と「Ｌ」に似た折れ線とを組合わせたもの）の下に記載されている印は、経過時間をランクで示したものである。
【０２４８】
以上のようにして、本実施の形態にかかる通信システムは、接続が確立された後の経過時間のランクを表示する。これにより、接続が確立された後の経過時間がどの程度なのか、ユーザは直感的に知ることができる。それを直感的に知ることができるので、ユーザは、通話を開始しようとする瞬間において、通話ができそうなのか、容易に予測することができる。また、余分な通信をほとんど行うことなく通信相手の端末の通信状態を詳細に把握できる。
【０２４９】
なお、本実施の形態の第１の変形例において、通信端末５０は、レジスト要求を行い、さらにレジスト通知を受信した後に、識別情報や時刻情報を送信してもよい。
【０２５０】
また、本実施の形態の第２の変形例において、識別情報と時刻情報とを対応付けたデータベースは、識別情報と端末指定情報とを対応付けたベースに共通するものであってもよい。
【０２５１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０２５２】
【図１】本発明の第１の実施の形態に係る通信システムの構成を示す概念図である。
【図２】本発明の第１の実施の形態に係る通信端末の構成と通信端末に含まれた通信制御部の機能とを示す図である。
【図３】本発明の第１の実施の形態に係るアクセスポイントの構成とアクセスポイントに含まれた通信制御部の機能とを示す図である。
【図４】本発明の第１の実施の形態に係るサーバの構成とサーバに含まれた通信制御部の機能とを示す図である。
【図５】本発明の第１の実施の形態に係る通話の開始処理の制御の手順を示すフローチャートである。
【図６】本発明の第１の実施の形態に係る通信端末からの情報の受信処理の制御の手順を示すフローチャートである。
【図７】本発明の第１の実施の形態に係るサーバからの情報の受信処理の制御の手順を示すフローチャートである。
【図８】本発明の第１の実施の形態に係る情報の通信処理の制御の手順を示すフローチャートである。
【図９】本発明の第１の実施の形態に係る通信システムにおける情報の流れを示す図である。
【図１０】本発明の第１の実施の形態に係る通信端末における表示例を示す図である。
【図１１】本発明の第２の実施の形態に係る通信端末の構成と通信端末に含まれた通信制御部の機能とを示す図である。
【図１２】本発明の第２の実施の形態に係る通話の開始処理の制御の手順を示すフローチャートである。
【図１３】本発明の第２の実施の形態に係る通信端末からの情報の受信処理の制御の手順を示すフローチャートである。
【図１４】本発明の第２の実施の形態に係るサーバからの情報の受信処理の制御の手順を示すフローチャートである。
【図１５】本発明の第２の実施の形態に係る情報の通信処理の制御の手順を示すフローチャートである。
【図１６】本発明の第２の実施の形態に係る通信システムにおける情報の流れを示す図である。
【図１７】本発明の第２の実施の形態に係る通信端末における表示例を示す図である。
【図１８】本発明の第３の実施の形態に係る通信端末の構成と通信端末に含まれた通信制御部の機能とを示す図である。
【図１９】本発明の第３の実施の形態に係るアクセスポイントの構成とアクセスポイントに含まれた通信制御部の機能とを示す図である。
【図２０】本発明の第３の実施の形態に係る通話の開始処理の制御の手順を示すフローチャートである。
【図２１】本発明の第３の実施の形態に係る通信端末からの情報の受信処理の制御の手順を示すフローチャートである。
【図２２】本発明の第３の実施の形態に係るサーバからの情報の受信処理の制御の手順を示すフローチャートである。
【図２３】本発明の第３の実施の形態に係る情報の通信処理の制御の手順を示すフローチャートである。
【図２４】本発明の第３の実施の形態に係る通信端末における表示例を示す図である。
【符号の説明】
【０２５３】
５０  通信端末５０  アクセスポイント５２  サーバ、７０，１７０  通信部、７２  キー操作部、７４  マイク、７６  スピーカ、７８  ヘッドホン、８０  音声処理部、８２  表示部、８６  メモリ、８８，１４６，１７４  通信制御部、９０  状態データベース、９２  電話帳データベース、９４  オーナー情報データベース、１００  強度測定部、１０２  取得制御部、１０４，１４９  時刻検出部、１１０  レジスト情報送信制御部、１１２，１５６  照会制御部、１１４，１５２，２０２  記憶制御部、１１６，４００
状態表示制御部、１１８  状態判断部、１２０  結果表示制御部、１２２，１５０  確立制御部、１２４，１６０  遮断制御部、１２６  割合算出部、１３０  順位特定部、１３２  形態特定部、１３４  選択部、１４０  無線通信部、１４２  有線通信部、１４４，１７２  記憶部、１４８，１８２  端末データベース、１５４  送信制御部、１５８  回答制御部、１６２  通知制御部、１６４  時刻連絡制御部、１８０  一時記憶データベース、１９０  識別部、１９２  レジスト検知部、１９４  照会検知部、１９６  回答制御部、１９８  中継制御部、２００  削除制御部、４０２  時刻記憶制御部、４１０  時間差算出部、４１２  形態選択部。
【図１】
2009044427.tif 000003
【図２】
2009044427.tif 000004
【図３】
2009044427.tif 000005
【図４】
2009044427.tif 000006
【図５】
2009044427.tif 000007
【図６】
2009044427.tif 000008
【図７】
2009044427.tif 000009
【図８】
2009044427.tif 000010
【図９】
2009044427.tif 000011
【図１０】
2009044427.tif 000012
【図１１】
2009044427.tif 000013
【図１２】
2009044427.tif 000014
【図１３】
2009044427.tif 000015
【図１４】
2009044427.tif 000016
【図１５】
2009044427.tif 000017
【図１６】
2009044427.tif 000018
【図１７】
2009044427.tif 000019
【図１８】
2009044427.tif 000020
【図１９】
2009044427.tif 000021
【図２０】
2009044427.tif 000022
【図２１】
2009044427.tif 000023
【図２２】
2009044427.tif 000024
【図２３】
2009044427.tif 000025
【図２４】
2009044427.tif 000026